(57)【要約】【課題】画像等の擬似的なカードを使用することなく、安価なコストで本物のカードを使用してリアルさや面白さを向上することが可能なカードゲーム機を提供する。【解決手段】本物のカードＣを使用してカードシャッフル装置１３０により配布前のカードＣをシャッフルするように構成した。これにより、カードゲーム機１１のコントローラもカードＣの積層順番を認識できない。従って、予め決められたプログラムに基づいてカードを配布する従来技術とは異なり、プレーヤはゲームの結果を予測することが非常に困難となる。その結果、ゲームの難易度が増し、一層楽しくゲームを行うことができる。【選択図】      図２６
2005103243.tif 000002
【特許請求の範囲】
【請求項１】
表面に自身と他とを識別する自他識別情報が表示されるとともに裏面のデザインに共通性を有するカードを使用し、同じ外形形状の複数の同カードを積層して構成したカード群から１枚ずつ同カードを繰り出してゲームが実行されていくカードゲーム機において、ゲーム完了後に回収された前記カード群がランダムなカード順に並び代わるように同カード群をシャッフルするシャッフル手段を備えたことを特徴とするカードゲーム機。
【請求項２】
前記シャッフル手段は、ゲーム完了後に回収された前記カード群を積層保持する第１の保持手段と、同第１の保持手段によって保持されているカード群の中からいずれかのカードを無作為に第１の保持手段と対向する第２の保持手段へ搬送する第１の搬送手段と、前記第２の保持手段へ搬送されたカードを前記第１の保持手段へ返送する第２の搬送手段とを備え、
前記第１及び第２の搬送手段は複数回カード搬送の動作を繰り返すことを特徴とする請求項１に記載のカードゲーム機。
【請求項３】
前記第１の保持手段から前記第２の保持手段へカードが搬送される際、第２の保持手段に保持されたカードの積層枚数に応じて第１の保持手段と第２の保持手段との相対的な高さ位置が変化することを特徴とする請求項１又は請求項２に記載のカードゲーム機。
【請求項４】
前記第２の保持手段から前記第１の保持手段へカードが搬送される際、第１の保持手段に保持されたカードの積層枚数に応じて第１の保持手段と第２の保持手段との相対的な高さ位置が変化することを特徴とする請求項１〜請求項３のいずれかに記載のカードゲーム機。
【請求項５】
前記シャッフル手段は、ゲーム完了後に回収された前記カードを積層保持する第１の保持手段と、同第１の保持手段に保持されたカード群の中から一部のカードを取り出す取り出し手段と、同取り出し手段によって取り出された複数枚のカードを保持する第２の保持手段と、同第２の保持手段に集積された複数枚のカードと前記第１の保持手段の残余のカードとを交互に積層する積層手段とを備えたことを特徴とする請求項１に記載のカードゲーム機。
【請求項６】
前記シャッフル手段は、ゲーム完了後に回収された前記カードを積層状態で保持する第１の保持手段と、同第１の保持手段に保持されたカード群の中から一部のカードを取り出す取り出し手段と、同取り出し手段によって取り出された複数枚のカードを保持する第２の保持手段と、同第２の保持手段に集積された複数枚のカードを前記第１の保持手段に隣接した位置に搬送する搬送手段と、同搬送手段によって搬送された複数枚のカードと前記第１の保持手段の残余のカードとを交互に積層していく積層手段とを備えたことを特徴とする請求項１に記載のカードゲーム機。
【請求項７】
前記搬送手段は前記第２の保持手段に保持されたカードを受け取る第３の保持手段を備えていることを特徴とする請求項６に記載のカードゲーム機。
【請求項８】
前記各保持手段は前記カードとほぼ同面積で開口するボックス形状をなしていることを特徴とする請求項５〜請求項７のいずれかに記載のカードゲーム機。
【請求項９】
前記取り出し手段によるカードの取り出し動作又は積層手段によるカードの積層動作の前工程において、積層保持されているカード群を上方から押圧して、カードの荷崩れを防止する押圧手段を備えたことを特徴とする請求項５〜請求項８のいずれかに記載のカードゲーム機。
【請求項１０】
前記押圧手段の下降時には同押圧手段の自重により下降させ、カード群から押圧手段を離間させる際には外力を付与して押圧手段を強制的に上昇させる切換手段を備えたことを特徴とする請求項９に記載のカードゲーム機。
【請求項１１】
前記第１の保持手段から前記積層手段に至る各動作は複数回行われることを特徴とする請求項５〜１０のいずれかに記載のカードゲーム機。
【発明の詳細な説明】
【技術分野】
【０００１】
本発明は、実際のカードを使用するカードゲーム機に関するものである。
【背景技術】
【０００２】
従来、例えばトランプ用カード（以下、単にカードとする）を使用するゲーム機としては、ディスプレイ画面上にカードの画像を表示させ、プレーヤはそのディスプレイ画面に表示されるカード画像を見てゲームを進めていくとともにゲームの勝敗を確認する。
【発明の開示】
【発明が解決しようとする課題】
【０００３】
しかしながら、上記のカードゲーム機には次のような問題があった。
上記のカードゲーム機では、ディスプレイ画面に実物のカードとは異なるカードの画像が表示されるだけであるため、実際のカードを使用してプレイするゲームと比較した場合、リアルさに欠けるという問題があった。
また、従来のカードゲーム機ではカードの配布をコンピュータがプログラムに基づいて行うことから、プレーヤはプレー回数を重ねるほどコンピュータが実行するゲームのパターンをある程度把握し、ゲームの勝敗をある程度予測することができてしまう。そのため、ゲームの面白さが低下してしまうという問題があった。
上記問題は本物のカードを使用することで解消されることであるが、本物のカードを使用する場合には、カードをシャッフル（複数枚のカードを混ぜて切る動作）したりすること等、非常に困難な動作が必要であるため、ゲーム機に本物のカードを使用することは難しい。
本発明は、上記問題を解消するためになされたものであり、その目的は、画像等の擬似的なカードを使用することなく、安価なコストで本物のカードを使用してリアルさや面白さを向上することが可能なカードゲーム機を提供することにある。
【課題を解決するための手段】
【０００４】
上記目的を達成するために、請求項１に記載の発明では、表面に自身と他とを識別する自他識別情報が表示されるとともに裏面のデザインに共通性を有するカードを使用し、同じ外形形状の複数の同カードを積層して構成したカード群から１枚ずつ同カードを繰り出してゲームが実行されていくカードゲーム機において、ゲーム完了後に回収された前記カード群がランダムなカード順に並び代わるように同カード群をシャッフルするシャッフル手段を備えたことをその要旨とする。
請求項２に記載の発明では、請求項１に記載の発明において、前記シャッフル手段は、ゲーム完了後に回収された前記カード群を積層保持する第１の保持手段と、同第１の保持手段によって保持されているカード群の中からいずれかのカードを無作為に第１の保持手段と対向する第２の保持手段へ搬送する第１の搬送手段と、前記第２の保持手段へ搬送されたカードを前記第１の保持手段へ返送する第２の搬送手段とを備え、前記第１及び第２の搬送手段は複数回カード搬送の動作を繰り返すことをその要旨とする。
請求項３に記載の発明では、請求項１又は請求項２に記載の発明において、前記第１の保持手段から前記第２の保持手段へカードが搬送される際、第２の保持手段に保持されたカードの積層枚数に応じて第１の保持手段と第２の保持手段との相対的な高さ位置が変化することをその要旨とする。
請求項４に記載の発明では、請求項１〜請求項３のいずれかに記載の発明において、前記第２の保持手段から前記第１の保持手段へカードが搬送される際、第１の保持手段に保持されたカードの積層枚数に応じて第１の保持手段と第２の保持手段との相対的な高さ位置が変化することをその要旨とする。
請求項５に記載の発明では、請求項１に記載の発明において、前記シャッフル手段は、ゲーム完了後に回収された前記カードを積層保持する第１の保持手段と、同第１の保持手段に保持されたカード群の中から一部のカードを取り出す取り出し手段と、同取り出し手段によって取り出された複数枚のカードを保持する第２の保持手段と、同第２の保持手段に集積された複数枚のカードと前記第１の保持手段の残余のカードとを交互に積層する積層手段とを備えたことをその要旨とする。
請求項６に記載の発明では、請求項１に記載の発明において、前記シャッフル手段は、ゲーム完了後に回収された前記カードを積層状態で保持する第１の保持手段と、同第１の保持手段に保持されたカード群の中から一部のカードを取り出す取り出し手段と、同取り出し手段によって取り出された複数枚のカードを保持する第２の保持手段と、同第２の保持手段に集積された複数枚のカードを前記第１の保持手段に隣接した位置に搬送する搬送手段と、同搬送手段によって搬送された複数枚のカードと前記第１の保持手段の残余のカードとを交互に積層していく積層手段とを備えたことをその要旨とする。
請求項７に記載の発明では、請求項６に記載の発明において、前記搬送手段は前記第２の保持手段に保持されたカードを受け取る第３の保持手段を備えるようにしたことをその要旨とする。
請求項８に記載の発明においては、請求項５〜請求項７のいずれかに記載の発明において、前記各保持手段は前記カードとほぼ同面積で開口するボックス形状をなしていることをその要旨とする。
請求項９に記載の発明では、請求項５〜請求項８のいずれかに記載の発明において、前記取り出し手段によるカードの取り出し動作又は積層手段によるカードの積層動作の前工程において、積層保持されているカード群を上方から押圧して、カードの荷崩れを防止する押圧手段を備えたことをその要旨とする。
請求項１０に記載の発明では、請求項９に記載の発明において、前記押圧手段の下降時には同押圧手段の自重により下降させ、カード群から押圧手段を離間させる際には外力を付与して押圧手段を強制的に上昇させる切換手段を備えたことをその要旨とする請求項９に記載のカードゲーム機。
請求項１１に記載の発明では、請求項５〜１０のいずれかに記載の発明において、前記第１の保持手段から前記積層手段に至る各動作は複数回行われるようにしたことをその要旨とする。
（作用）
請求項１に記載の発明においては、ゲーム完了後に回収された前記カード群がシャッフル手段によりランダムなカード順に並び代わることとなる。
請求項２に記載に発明においては、請求項１に記載の発明の作用に加え、ゲーム完了後に回収された前記第１の保持手段に保持されているカード群の中から無作為にいずれかのカードが前記第１の搬送手段により前記第２の保持手段へ搬送される。そして、第２の保持手段に搬送されたカードは前記第２の搬送手段により再度第１の保持手段へ搬送される。以上の動作が複数回繰り返されてカードのシャッフルが行われカードはしっかりと混ざり合うこととなる。
請求項３に記載の発明においては、請求項１又は請求項２の発明の作用に加え、前記第１の保持手段から前記第２の保持手段へ前記カードが搬送される際、第２の保持手段上のカードの積層枚数に応じて第１の保持手段と第２の保持手段との高さ位置が変化する。例えば、第２の保持手段上のカードの枚数が多くなるにつれ、第１の保持手段に対する第２の保持手段の高さ位置を低くすることにより、第１の保持手段から第２の保持手段へカードを搬送する際の動作がスムーズに行われる。
請求項４に記載の発明においては、請求項１〜請求項３のいずれかに記載の発明の作用に加え、前記第２の保持手段から前記第１の保持手段へ前記カードが搬送される際、第１の保持手段上のカードの積層枚数に応じて第１の保持手段と第２の保持手段との高さ位置が変化する。例えば、第１の保持手段上のカードの枚数が多くなるにつれ、第１の保持手段に対する第２の保持手段の高さ位置を高くすることにより、第２の保持手段から第１の保持手段へカードを搬送する際の動作がスムーズに行われる。
請求項５に記載に発明においては、請求項１に記載の発明の作用に加え、ゲーム完了後に回収された前記第１の保持手段に保持されたカード群から取り出し手段によってカードの一部が取り出される。取り出された複数枚のカードは第２の保持手段に保持され、同第２の保持手段に集積された複数枚のカードと前記第１の保持手段の残余のカードとを積層手段によって交互に積層することによってランダムなカード順に並び代わることとなる。  請求項６に記載に発明においては、請求項１に記載の発明の作用に加え、ゲーム完了後に回収された前記第１の保持手段に保持されたカード群から取り出し手段によってカードの一部が取り出される。取り出された複数枚のカードは第２の保持手段に保持され、更に搬送手段によって第２の保持手段に集積された複数枚のカードは第１の保持手段に隣接した位置に搬送される。搬送された複数枚のカードと前記第１の保持手段の残余のカードとを積層手段によって交互に積層することによってランダムなカード順に並び代わることとなる。
請求項７に記載に発明においては、請求項６に記載の発明の作用に加え、前記搬送手段は前記第２の保持手段に保持されたカードを受け取る第３の保持手段を備えることとなっている。
請求項８に記載の発明においては、請求項５〜請求項７のいずれかに記載の発明の作用に加え、カード群が各保持手段に積層保持される際、カード群の外周面が保持手段の内側面に接触した状態となる。これにより、カード群は所定の整然とした状態で積層されることとなり搬送時等にカードがずれたり、崩れたりするのが防止される。
請求項９に記載の発明においては、請求項５〜請求項８のいずれかに記載の発明の作用に加え、取り出し手段によるカードの取り出し動作又は積層手段によるカードの積層動作の前工程において、押圧手段によりカード群が上方から押圧される。これにより、各カードは整然と積層された状態で保持され、取り出し手段によるカードの取り出し又は積層手段によるカードの積層動作が１枚ずつスムーズに行われる。
請求項１０に記載の発明においては、請求項９に記載の発明の作用に加え、切換手段により押圧手段は下降時には自重により下降する。また、切換手段により押圧手段はカード群から離間する際には外力が付与されて押圧手段は強制的に上昇させる。これにより、カード群を押圧する際にカード群を保持する各保持手段への負荷は押圧手段の重量のみとなるり、保持手段には余分な負荷が加わらない。また、押圧手段の下降はカード群との接触により停止されるので、カード群の積載量（カード枚数）に応じて押圧手段の下降位置を切換制御する複雑な構成を必要としない。
請求項１１に記載に発明においては、請求項５〜１０のいずれかに記載の発明の作用に加え、第１の保持手段から積層手段に至る動作が複数回繰り返されカードはしっかりと混ざり合うこととなる。
【発明の効果】
【０００５】
請求項１に記載の発明によれば、画像等の擬似的なカードを使用することなく、本物のカードを使用することにより、リアルさや面白さを向上することができるというという優れた効果を奏する。
請求項２に記載の発明によれば、請求項１に記載の発明の効果に加え、カード群のシャッフル動作（カードの搬送動作）を複数回繰り返すことによってカード群の積層状態をシャッフルする以前よりも確実にバラバラにすることができる。これにより、ゲームの難易度が向上し、より一層ゲームを楽しく行うことができる。
請求項３に記載の発明によれば、請求項１又は請求項２に記載の発明の効果に加え、カード搬送をスムーズに行うことができるとともに、積層状態のカードの崩れを防止することができ、ひいてはカードシャッフル動作のトラブルを防止することができるという優れた効果を奏する。
請求項４に記載の発明によれば、請求項１〜請求項３のいずれかに記載の発明の効果に加え、カード搬送をスムーズに行うことができるとともに、積層状態のカードの崩れを防止することができ、ひいてはカードシャッフル動作のトラブルを防止することができるという優れた効果を奏する。
請求項５〜請求項７に記載の発明によれば、請求項１に記載の発明の効果に加え、実際にカードを切る際に行われるうシャッフルのように効率的にカードを切り混ぜることができる。
請求項８に記載の発明よれば、請求項５〜請求項７のいずれかに記載の発明の効果に加え、搬送時にカード群の崩れ等を防止することができることから、カードシャッフル動作のトラブルを確実に防止することができるという優れた効果を奏する。
請求項９に記載の発明によれば、請求項５〜請求項８のいずれかに記載の発明の効果に加え、カードを確実に１枚ずつ取り出し、または積層できるので、カードシャッフル動作のトラブルをより確実に防止することができるとともに、配布前のカード群をより一層確実にバラバラにすることことができ、ひいてはさらに一層ゲームを楽しく行うことができるという優れた効果を奏する。
請求項１０に記載の発明によれば、請求項９に記載の発明の効果に加え、簡単な構造でゲーム機の破損を防止することができるという優れた効果を奏する。
請求項１１に記載の発明によれば、請求項５〜１０のいずれかに記載の発明の効果に加え、カード群のシャッフル動作（カードの搬送動作）を複数回繰り返すことによってカード群の積層状態をシャッフルする以前よりも確実にバラバラにすることができる。これにより、ゲームの難易度が向上し、より一層ゲームを楽しく行うことができる。
【発明を実施するための最良の形態】
【０００６】
以下、本発明を具体化した実施の形態を図面に基づいて説明する。
（実施の形態１）
図１に示すように、カードゲーム機１１は操作部１２と展示部１３に２分されている。操作部１２の上面をなすテーブルＴ面には各種画像が表示されるモニタディスプレイ１４が配置されている。ディスプレイモニター１４の周囲には同モニター１４を包囲するようにコントロールパネル１５が５カ所に設置されている。操作部１２の側面には各コントロールパネル１５と対応してメダル払い出し口１６がそれぞれ設けられている。操作部１２の内部には各メダル払い出し口１６に対応してメダル払い出し装置１７がそれぞれ設置されている。プレーヤはコントロールパネル１５の各ボタン１８を操作してモニターディスプレイ１４の所望の位置にマークや数字を入力するようになっている。
前記展示部１３前面には大きく切り欠かれた窓１３ａが形成されており、同窓１３ａ位置には透明なアクリル板２０が嵌合されている。展示部１３内部には傾斜面としてのカードテーブル１９が配設されている。カードテーブル１９はアクリル板２０を通して窓１３ａから外部に向かって露出されている。カードテーブル１９は後述するベース５４前面に配置されている。
図１及び図２に示すように、カードテーブル１９表面は平面形状に構成されているが延出方向は垂直ではなく上方側よりも下方側の方が前方に張り出した傾斜面として配置されている。本実施の形態１ではカードテーブル１９はステンレス製の板材から構成されており、その平面形状の表面にはカードＣの滑りを助長するためのヘアライン処理が施されている。図１〜図３に示すように、カードテーブル１９の表面には上下方向に延びる４本一組のガイドプレート２１が左右に２組装着されている。一対のガイドプレート２１にはスペースＳが設けられ、同スペースＳの間隔はカードＣの幅よりもわずかに大きい寸法となっている。各スペースＳの中央部には水平方向に延びるストッパ２２がカードテーブル１９の表面から２ｍｍ〜３ｍｍ程度突出した状態でそれぞれ設けられている。各ストッパ２２上方におけるカードテーブル１９の部位には貫通孔２３がそれぞれ形成されている。
【０００７】
図２〜図４に示すように、前記貫通孔２３と対応するカードテーブル１９の裏面には、カード反転装置３１が左右一対に設置されている。ブラケット３２は連結ピン３３によりカードテーブル１９の裏面に取り付け固定されている。各ブラケット３２にはアーム軸３４を介して第１アーム３５ａ、第２アーム３５ｂ、第３アーム３５ｃの３つのアーム３５ａ〜３５ｃが支持されている。各アーム３５ａ〜３５ｃは前記貫通孔２３のピッチと同ピッチで配設されている。
各アーム３５ａ〜３５ｃの胴部３６の先端には上方に向けて湾曲している押し上げ部３７が形成されている。各アーム３５ａ〜３５ｃの胴部３６とブラケット３２との間はバネ３８により連結され、同バネ３８の弾性力により図５及び図６において各アーム３５ａ〜３５ｃはアーム軸３４を中心として常時反時計回り方向へ付勢されている。胴部３６の下方におけるブラケット３２の部位にはカム軸３９が回転可能に支持されている。図４及び図５に示すように、カム軸３９には前記第１アーム３５ａ及び第２アーム３５ｂの胴部３６の後端面３６ａと対向する部位において、等速カム４０が軸着されている。また、図６に示すように、第３アーム３５ｃの胴部３６の後端面３６ａと対向するカム軸３９の部位には変速カム４１が軸着されている。
図５に示すように、第１アーム３５ａと対向する等速カム４０及び第２アーム３５ｂと対向する等速カム４０は、その回転中心部から押圧面４０ａまでの半径距離が終始一定に形成されている。図４に示すように、両等速カム４０は、その押圧面４０ａの位相をずらしてカム軸３９に軸着されている。また、図６に示すように、第３アーム３５ｃと対向する変速カム４１は他の等速カム４０とは異なり、回転中心部から押圧面４１ａまでの半径距離が徐々に長くなっている。本実施の形態１では、変速カム４１の中心から押圧面４１ａの最長部位の距離は、前記等速カム４０の中心から押圧面４０ａの距離と同距離となるように構成されている。
図４に示すように、カム軸３９の一端にはアーム用モータ４２が連結され、カム軸３９はアーム用モータ４２の回転に伴って一体回転するようになっている。図５及び図６に示すように、アーム用モータ４２が回転した際には各カム４０，４１の押圧面４０ａ，４１ａが前記各アーム３５ａ〜３５ｃの胴部３６の後端３６ａに摺接しながら押圧する。胴部３６の後端面３６ａが各カム４０，４１の押圧面４０ａ，４１ａに押圧された際には、バネ３８の弾性力に抗して図上時計回り方向に回転し、押し上げ部３７が貫通孔２３からカードテーブル１９の上面に露出するようになっている。そして、胴部３６の後端面３６ａと押圧面４０ａ，４１ａとの接触が解除された場合には、バネ３８の弾性力により、元の位置（図５（ａ）、図６（ａ））に復帰するようになっている。
【０００８】
図２及び図３に示すように、カードテーブル１９の表面下部には水平方向に延びるガイド溝５１が形成されている。また、カードテーブル１９の下方にはカード回収装置５２が配置されている。カード回収装置５２の一部を構成する回収用ガイドレール５３はベース５４に取付固定されている。回収用ガイドレール５３の右端側には回収用モータ５５が取着され、同モータ５５には駆動プーリ５６が軸着されている。また、回収用ガイドレール５３の左端側には従動プーリ５７が配置されている。両プーリ５６，５７間にはベルト５８が掛装されている。ベルト５８の一部には連結板５９を介してカード回収プレート６０が連結されている。カード回収プレート６０は基端部６０ａと回収部６０ｂよりなる前方視略Ｌ字型に形成されている。基端部６０ａの裏面にはローラ６１が取着されている。各ローラ６１は前記回収用ガイドレール５３に係合している。また、カード回収プレート６０の回収部６０ｂの裏面側には係合凸部６２が形成され、同係合凸部６２は前記ガイド溝５１内に係合している。回収用モータ５５の駆動に伴い、カード回収プレート６０は回収用ガイドレール５３に沿って、図３の実線にて示すＡ位置と二点鎖線にて示すＢ位置の２位置間を移動するようになっている。
【０００９】
図２及び図３に示すように、カードテーブル１９の上方であってベース５４上にはカード配布装置７０が配設されている。カード配布装置７０を構成する配布用ガイドレール７１の右端側には配布用モータ７２が固定され、同モータ７２には駆動プーリ７３が軸着されている。また、配布用ガイドレール７１の左端側には従動プーリ７４が配置されている。両プーリ７３，７４間には配布用ベルト７５が掛装されている。
図３及び図７〜図１３に示すように、前記配布用ガイドレール７１には配布キャリア８１のガイドローラ８２が係合している。ガイドローラ８２はローラブラケット８３を介してボディプレート８４に取着されている。ボディプレート８４の両側壁８４ａ，８４ｂ間の間隔は、本実施形態にて使用されるカードＣの幅よりも僅かに大きく設定されている。ボディプレート８４の中央部にはバネ固定プレート８５が取着されている。また、バネ固定プレート８５の上方にはカード積載プレート８６が配置されている。カード積載プレート８６は鉤状に形成され、その係合部８６ａは前記ボディプレート８４の左側壁８４ａに形成された移動孔８７から反対面に突出している。
カード積載プレート８６の積載部８６ｂとバネ固定プレート８５との間には円錐状の四本のコイルバネ８９が配置されている。前記カード積載プレート８６は同バネ８９によって常時上方に付勢されている。カード積載プレート８６の上方においてボディプレート８４の両側壁８４ａ，８４ｂ間には、前後一対のシャフト９０，９１が回転可能に支持されている。ボディプレート８４の右側面８４ｂには、前後一対の配布モータ９２が固定されている。各モータ９２には前記シャフト９０，９１がそれぞれ軸着されている。各シャフト９０，９１には左右一対の繰出ローラ９３がシャフト９０，９１と一体回転可能に取着されている。前記カード積載プレート８６の積載部８６ｂが繰出ローラ９３と接触することで、カード積載プレート８６の上方への移動が規制される。
【００１０】
前記カード積載プレート８６の係合部８６ａはボディプレート８４の左側壁８４ａに取着された一対のガイドプレート９４間に配置され、同係合部８６ａには上下方向に延びるラック９５が取着されている。ボディプレート８４の下面にはモータブラケット９６を介して昇降モータ９７が取着されている。昇降モータ９７にはピニオンギア９８が軸着され、同ギア９８は前記ラック９５に噛合している。前記ピニオンギア９８の一部は切り欠かれて歯のない切り欠き部９８ａが形成されている。この切り欠き部９８ａが前記ラック９５と対向している状態では、ラック９５との噛合関係が解除され、カード積載プレート８６はコイルバネ８９の弾性力により持ち上げられて、図９及び図１０の状態に保持される。また、また、昇降モータ９７の駆動に伴い、ピニオンギア９８が図１１において時計方向に回転した場合には、同ギア９８がラック９５に噛合してラック９５が下方へ移動し、カード積載プレート８６がコイルバネ８９の弾性力に抗して、下降するようになっている。図７において、前記積載部８６ｂの上側右角は切り欠かれた切り欠き部８６ｃとなっている。同切り欠き部８６ｃにはセンサユニット１０６が装着されている。センサユニット１０６にはＣＣＤカメラ１０７及びＬＥＤ（発光ダイオード）１０８が装着されている。  図７及び図９に示すように、ボディプレート８４の右側壁８４ｂには軸９９を介して略Ｌ字型のレバー１００が回転可能に支持されている。レバー１００の押さえ面１００ａは前記カード積載プレート８６の前端面と対向し、その上端面はカード積載プレート８６の積載部８６ｂよりもわずかに低く設定されている。ボディプレート８４の右側壁８４ｂとレバー１００との間はバネ１０１により連結され、同バネ１０１の弾性力によりレバー１００は常時図７において時計方向に付勢されている。また、ボディプレート８４の右側壁８４ｂにはブラケット１０２を介してソレノイド１０３が取着され、同ソレノイド１０３が非励磁状態の場合には、図７に示すように、ロッド１０３ａが収縮状態となり、前記レバー１００の押さえ面１００ａはカード積載プレート８６の前面と対向している状態に保持される。
一方、ソレノイド１０３が励磁状態の場合には、図８に示すように、ロッド１０３ａが伸長状態となり、同ロッド１０３ａによりレバー１００の作用面１００ｂが押圧されてレバー１００の押さえ面１００ａとカード積載プレート８６の前端面との対向関係が解除されるようになっている。図９〜図１３に示すように、前記ボディプレート８４の右側壁８４ｂの上部には、前記配布用ベルト７５が連結されている。配布モータ９２の駆動に伴い、配布キャリア８１は配布用ガイドレール７１に沿って、図３のＣ位置とＤ位置の２位置間を移動するようになっている。図３に示すように、前記配布用ガイドレール７１には、カードテーブル１９に対する配布キャリア８１の位置を検出する配布キャリア位置検出センサ１０５が装着されている。図１に示すように、前記配布キャリア８１は前記窓１３ａ枠外に配置され、配布キャリア８１は展示部１３の枠部により常時遮蔽されて、外部からは見えないようになっている。
【００１１】
図３及び図１４に示すように、前記ガイド溝５１の左方にはカード収容装置１１０が配置されている。図１４及び図１５に示すように、カード収容装置１１０を構成する一対の支持プレート１１１間にはシャフト１１２が回転可能に支持されている。下側の支持プレート１１１には収容モータ１１３が固定され、同モータ１１３にはシャフト１１２が軸着されている。前記シャフト１１２には収容ボックス１１４が一体回転可能に固定されている。収容ボックス１１４のガイド溝５１と対向する側面は開口する開口部１１４ａとなっており、同開口部１１４ａは前記カード回収プレート６０の係合凸部６２と対向している。収容ボックス１１４は前記収容モータ１１３の駆動に伴い。図１５のカード収納位置と図１６のカード排出位置の２位置間で回転移動する。図１４及び図１５に示すように、前記収容ボックス１１４の左方にはサイドプレート１１７が配置されている。サイドプレート１１７には左右一対のガイドプレート１１６が取着されている。ガイドプレート１６間には上下に開口する貫通孔１１８が形成され、同貫通孔１１８からカード積載プレート１１５の係合部１１５ａがサイドプレート１１７の反対面側に露出している。カード積載プレート１１５の係合部１１５ａにはラック１１９が取着されている。サイドプレート１１７の下部にはモータプレート１２０が連結され、同モータプレート１２０には昇降モータ１２１が取着されている。昇降モータ１２１にはピニオンギア１２２が軸着され、同ピニオンギア１２２は前記ラック１１９に噛合している。昇降モータ１２１の駆動に伴い、カード積載プレート１１５の積載部１１５ｂは図１５のＡ位置からＢ位置の間を昇降移動するようになっている。
【００１２】
図３及び図１７に示すように、カード収容装置１１０の上方にはシャッフル手段としてのカードシャッフル装置１３０が配置されている。図１８に示すように、カードシャッフル装置１３０を構成する第１の保持手段としての送出側カード積載プレート１３１の支持部１３１ａは、サイドプレート１１７の貫通孔１３２からサイドプレート１１７の反対面側に露出している。同支持部１３１ａはサイドプレート１１７に連結された左右一対のガイドプレート１３３に沿って上下動するようになっている。送出側カード積載プレート１３１の支持部１３１ａにはラック１３４が連結されている。前記サイドプレート１１７にはモータプレート１３５を介して昇降モータ１３６が連結されている。同ータ１３６にはピニオンギア１３７が軸着されている。ピニオンギア１３７は前記ラック１３４に噛合しており、昇降モータ１３６の駆動に伴い、送出側カード積載プレート１３１の積載部１３１ｂは図１８のＡ位置からＢ位置の間を昇降移動するようになっている。前記送出側積載プレート１３１の積載部１３１ｂの下方におけるサイドプレート１１７の部位には、サイドプレート１１７に対する積載部１３１ｂの高さを検出するセンサ１８０ａが取着されている。また、受取側カード積載プレート１５０の積載部１５０ｂの下方にも、サイドプレート１５１に対する積載部１５０ｂの高さを検出するセンサが１８０ｂが取着されている。
図１７及び図１８に示すように、前記ガイドプレート１３３の上方におけるサイドプレート１１７の部位にはローラ支持プレート１３８が連結されている。ローラ支持プレート１３８の上面には４個のガイドローラ１３９が回転可能に支持されている。ガイドローラ１３９には押し出しプレート１４０のガイド部１４０ａが係合している。また、押し出しプレート１４０にはガイド部１４０ａに対して直角に折曲され、サイドプレート１１７の貫通孔１４２と対向する押し出し部１４０ｂが形成されている。ガイド部１４０ａの上面にはラック１４３が連結されている。押し出しプレート１４０の上方におけるサイドプレート１１７の部位にはモータプレート１４４を介して押し出しモータ１４５が連結されている。押し出しモータ１４５にはピニオンギア１４６が軸着されている。ピニオンギア１４６は前記ラック１４３に噛合している。押し出しモータ１４５の駆動に伴い、押し出しプレート１４０は図１８のＣ位置とＤ位置の２位置間を水平移動するようになっている。本実施の形態１では、ガイドローラ１３９、押し出しプレート１４０、ラック１４３、押し出しモータ１４５、ピニオンギア１４６等により第１の搬送手段を構成している。
【００１３】
また、図１７及び図１８に示すように、カードシャッフル装置１３０を構成する第２の保持手段としての受取側カード積載プレート１５０の支持部１５０ａは、右側のサイドプレート１５１の貫通孔１５２から反対面に突出し、サイドプレート１５１に連結された左右一対のガイドプレート１５３間に配置されている。受取側カード積載プレート１５０の支持部１５０ａにはラック１５４が取着されている。前記サイドプレート１５１にはモータプレート１５５を介して昇降モータ１５６が連結されている。同モータ１５６にはピニオンギア１５７が軸着されている。ピニオンギア１５７は前記ラック１５４に噛合している。昇降モータ１５６の駆動に伴い、受取側カード積載プレート１５０の積載部１５０ｂは図１８のＥ位置からＦ位置の間を昇降移動するようになっている。
前記サイドプレート１５１には、左右一対の支持プレート１５８が固定されている。両支持プレート１５８間には駆動側シャフト１５９が回転可能に支持されている。同シャフト１５９を介して傾動ブラケット１６０が回転可能に支持されている。駆動側シャフト１５９の一端側には上側の支持プレート１５８に固定された送りモータ１６１に軸着されている。また、駆動側シャフト１５９の中央部には駆動プーリ１６２が一体回転可能に軸着されている。前記傾動ブラケット１６０の左部には従動側シャフト１６３が回転可能に支持されている。同シャフト１６３の中央部には従動プーリ１６４が一体回転可能に軸着されている。前記従動側シャフト１５９の両端にはローラ１６５が一体回転可能に軸着されている。前記駆動プーリ１６２と従動プーリ１６４とにはベルト１６６が掛装されている。前記送りモータ１６１の駆動に伴い、ローラ１６５は図１８において、時計方向又は反時計方向回りに回転するようになっている。
【００１４】
前記傾動ブラケット１６０の右側部には、サイドプレート１５１の貫通孔１６７から反対面に突出する突出部１６０ａが形成されている。突出部１６０ａの上方におけるサイドプレート１５１の部位にはソレノイド１７０が取付固定されている。前記傾動プレートブラケット１６０の上面はサイドプレート１５１に固定された板バネ１６９により押圧され、同バネ１６９の弾性力により傾動ブラケット１６０は駆動側シャフト１５９を中心として常時反時計方向に付勢されている。前記ソレノイド１７０のロッド１７１の収縮時には傾動ブラケット１６０は、図１８に示す水平状態に保持され、また、ロッド１７１の伸長時には同ロッド１７１により突出部１６０ａが押圧されて傾動ブラケット１６０は、図１９に示す傾いた状態に保持されるようになっている。
本実施の形態１では、傾動ブラケット１６０、送りモータ１６１、ローラ１６５、ベルト１６６等により第２の搬送手段を構成している。
図３及び図２０に示すように、前記カードシャッフル装置１３０とカード配布装置７０との間において中継プレート１８１が配置されている。前記サイドプレート１１７にはピン１８２を介してガイドレール１８３が支持され、同ガイドレール１８３の一端面にはモータ支持プレート１８４が取着されている。同プレート１８４には送出モータ１８５が支持され、同モータ１８５には駆動プーリ１８６が軸着されている。また、ガイドレール１８３の他端側にはプーリプレート１８７が取着されている。プーリプレート１８７には従動プーリ１８８が軸着されている。前記駆動プーリ１８６と従動プーリ１８８との間には送出ベルト１８９が掛装されている。
前記ガイドレール１８３には送出プレート１９０がガイドローラ１９１を介して係合している送出プレート１９０の胴部１９０ａの前部にはカードＣの幅とほぼ同幅で、高さがカード４セット分（１セット＝ジョーカーを除く５２枚）の枚数高さよりもわずかに高い押出部１９０ｂが連結されている。また、送出プレート１９０の胴部１９０ａには前記送出ベルト１８９が連結されている。前記送出モータ１８５の駆動に伴い、送出プレート１９０は図２０のＡ位置からＢ位置を往復移動するようになっている。送出プレート１９０の移動時には、押出部１９０ｂが前記カード収容装置１１０のカード積載プレート１１５の積載部１１５ｂ、カードシャッフル装置１３０の送出側カード積載プレート１３１の積載部１３１ｂ、中継プレート１８１の上面をわずかに接触した状態で移動するようになっている。
【００１５】
次に、本実施形態の作用ついて説明する。なお、本ゲーム機１１は予め設定されたプログラムに基づいて図示しないコントローラにより駆動制御されるようになっている。
ゲーム待機中には配布キャリア８１は図３のＤ位置に待機している。そして、図２１に示すように、複数枚のカードＣがカード群ＣＡ（本実施の形態１では４セットのカードとして裏返された状態でカード積載プレート８６の積載部８６ｂと繰出ローラ９３との間に積層状態で挟持されている。このとき、ピニオンギア９８の切り欠き部９８ａがラック９５と対向する状態に保持されていることから、カードＣはコイルバネ８９の弾性力により積載部８６ｂと繰出ローラ９３とで挟持された状態に保持されている。また、ソレノイド１０３非励磁状態に保持され、レバー１００は積載部８６の端面と対向している状態に保持されている。これにより、積載部８６ｂと繰出ローラ９３との間で挟持されているカード群ＣＡが自重で前方に滑り落ちようとしても、レバー１００の押さえ部１００ａにより押さえられる状態となってカードＣが配布キャリア８１から飛び出すのが防止される。また、本実施の形態１では図２６に示すように、カードシャッフル装置１３０の送り出し側積載プレート１３１の積載部１３１ｂにも裏返された状態で４セット分のカードＣがカード群ＣＢとして積載待機している。
【００１６】
なお、本実施の形態１では、ゲームの内容としてバンカー（コントローラ）と各プレーヤとに別れ、これから行われるゲームの勝ちがバンカーなのかプレーヤなのか、又は引き分けなのかの勝敗予想をしてプレーする、いわゆるバカラゲームを採用している。本実施の形態１では、バカラゲームの内容についてはその詳細な説明は省略する。
ゲームを行う際には、まず、プレーヤはゲームの結果を予想して操作パネル１５のボタン１８の操作によりモニタディスプレイ１４上に所望のマークや数字を入力する。マークや数字の入力が終了すると、カード配布装置７０の配布用モータ７２が駆動して、配布キャリア８１が配布用ガイドレール７１に沿って図３のＤ位置方向へ走行移動する。そして、スペースＳ１と対向する位置まで移動すると、配布用モータ７２の駆動が停止され、配布キャリア８１はその位置で停止する。配布キャリア８１が停止すると、配布モータ９２が逆回転方向に駆動される。すなわち、図２２に示すように、繰出ローラ９３の回転により最上面のカードＣが上方向に移動して、最上部のカードＣの右隅部のマーク（数字及びクラブやダイヤ等のマーク）Ｍがセンサユニット１０６のＣＣＤカメラ１０７上を通過し、同ＣＣＤカメラ１０７によりカードＣのマークＭが識別される。このとき、ＬＥＤ１０８からの照明により、外光の当たらないカードＣの裏面においても確実にＣＣＤ１０８はカードＣのマークＭを識別することができる。センサユニット１０６により識別されたカードＣのマークＭはコントローラにより記憶される。
カードＣのマークＭの識別が終了すると、配布モータ９２は正回転方向に駆動し、図２３に示すように、繰出ローラ９３は最上部のカードＣを配布キャリア８１からカードテーブル１９上に排出する。配布キャリア８１から排出されたカードＣはスペースＳ１間に落下移動する（図２のＰ位置）。そして、カードＣはガイドプレート２１に沿ってスペースＳ１間を滑走落下し、ストッパ２２と接触することによりその移動が規制される（図２のＱ位置）。スペースＳ１へのカードＣの配布が終了すると、配布用モータ７２が再度駆動し、配布キャリア８１が隣接するスペースＳ２と対向する位置まで移動する。ここでも、前記と同様に最上部のカードＣのマークが識別された後、スペースＳ２内にカードＣが配布される。同動作がスペースＳ６まで行われる。コントローラは配布した全カードＣのマークを記憶する。そして、カードＣが配布される前にプレーヤにより入力されたマークと、今回配布したカードＣのマークとを比較し、ゲームの勝敗の判定を行う。ここでは、まだコントローラはその勝敗結果をプレーヤには報知しない。なお、配布キャリア８１の各スペースＳ１〜Ｓ６と対応する位置での停止動作は配布キャリア位置検出センサ１０５からの検出信号に基づき、コントローラが配布用モータ７２の駆動を制御することで行われている。
【００１７】
次にカード反転装置３１のアーム用モータ４２が駆動する。図５及び図６に示すように、同モータ４２の駆動に伴い各カム４０，４１が回転し、アーム３５ａ〜３５ｃの胴部３６の後端面３６ａを押圧する。カム４０，４１の押圧動作によってアーム３５ａ〜３５ｃの押し上げ部３７がカードテーブル１９の貫通孔２３からカードテーブル１９の表面に露出する。このとき、左側のアーム３５ａ、中央のアーム３５ｂ、右側のアーム３５ｃの順番でカードテーブル１９の表面に露出する。すなわち、各アーム３５ａ〜３５ｃの押し上げ部３７によりカードＣが押し上げられ、ストッパ２２と接触する端部を基点として回転する（図５（ｂ）、図６（ｂ）状態、及び図２のＲ位置））。このとき、各アーム３５ａ〜３５ｃの押し上げ部３７はカードＣの中心部よりも上部（ストッパ２２から離間する方向）を押圧する。そして所定の回転量を超えた際に自重によりカードＣはストッパ２２から離れ、ストッパ２２よりも下方のスペースＳ１〜Ｓ６へ落下する（図５（ｃ）、図６（ｃ）状態、及び図２のＳ位置））。このとき、裏面が露出状態にあったカードＣは反転されてマークが記された表面が露出され、プレーヤによる各カードＣのマークの確認が可能となる。なお、本実施の形態１では、２組のカード反転装置３１が設けられているが、両カード反転装置３１は同タイミングで駆動される。もちろん、異なるタイミングで駆動されるように構成することもできる。
前記左側のアーム３５ａと中央のアーム３５ｂは等速カム４０の作用により、一定の速度でカードＣを押し上げて同カードＣを反転させる。一方、右側のアーム３５ｃは変速カム４１の作用により徐々に速度を上げてカードＣを反転させる。反転された各カードＣは回収用ガイドレール５３の側面に接触してそれ以上の落下移動が規制される（図２のＳ位置）。
【００１８】
カードテーブル１９上の全カードＣが図２のＳ位置まで落下すると、コントローラはカードＣの配布前にプレーヤによりボタン１８の操作で入力されたマークや数字と、センサユニット１０６から認識したカードＣのマークＭとを比較して、勝敗の判定や掛け率に対するメダルの払い出し枚数等の演算を行う。そして、その演算結果に基づいてゲームに勝ったプレーヤに該当するメダル払い出し装置１７を駆動させて所定枚数のメダル払い出し口１６へ所定枚数のメダルを払い出す。
メダル払い出しが完了すると、回収用モータ５５が駆動されてカード回収プレート６０が図３のＡ位置からＢ位置へ移動する。このとき、図１４に示すように、カードテーブル１９上の各カードＣはカード回収プレート６０の係合凸部６２に右方から押圧され、カード回収プレート６０とともに順次（スペースＳ６側のカードＣからＳ１側のカードＣ）カード収容装置１１０側に回収される。図１４に示すように、回収された６枚のカードＣはカード収容装置１１０の収容ボックス１１４の開口部１１４ａから同ボックス１１４内に収容される。収容ボックス１１４内にカードＣが収容されると、回収用モータ５５が反転駆動してカード回収プレート６０が図３のＡ位置に復帰する。これで１ゲームの行程が終了する。  収容ボックス１１４に６枚のカードＣが収容されると、収容モータ１１３が駆動して、収容ボックス１１４は図１５の位置から図１６の位置に回転移動する。収容ボックス１１４の回転に伴い、同ボックス１１４内のカードＣはカード積載プレート１１５の積載部１１５ｂ上へ移動する。そして、次回のゲームが開始され、前記と同様に配布キャリア８１からカードテーブル１９上にカードＣが配布され、カードＣがカード回収プレート６０により回収されると、また、収容ボックス１１４内のカードＣは積載部１１５ｂ上へ移動する。積載部１１５ｂへのカードＣの枚数に応じて（実際には収容ボックス１１４から積載部１１５ｂへの受け渡し回数）、収容ボックス１１４に対する積載部１１５ｂの高さが低くなるように昇降モータ１２１が駆動して積載部１１５ｂの位置を徐々に下げていく。これにより、積載部１１５ｂ上のカードＣの枚数が多くなってきても、収容ボックス１１４から積載部１１５ｂへのカードＣの受け渡しがスムーズに行われる。
【００１９】
ゲームが繰り返し行われ、前記配布キャリア８１に積載されているカード群ＣＡのカードＣが無くなると（又は少なくなると）、配布キャリア８１は図３の中継プレート１８１と対向するＣ位置に移動する。図２４に示すように、配布キャリア８１が中継プレート１８１と対向する位置に移動すると、送出モータ１８５が駆動して送出プレート１９０が前進し、カードシャッフル装置１３０に待機していたカード群ＣＢを配布キャリア８１と対向する位置まで搬送してくる。そして、配布キャリア８１の昇降モータ９７が駆動して、カード積載プレート８６の積載部８６ｂが最低位置まで下がるとともに、ソレノイド１０３が励磁してロッド１０３ａが突出し、レバー１００の押さえ部１００ａと積載面８６ｂとの対向関係が解除される。
この状態で、図２５に示すように、送出プレート１９０はさらに前進してカード群ＣＢを中継プレート１８１から配布キャリア８１の積載部８６ｂ上に載せ変える。配布キャリア８１にカード群ＣＡ（ＣＢ）を載せ変えると、送出モータ１８５は反転駆動して送出プレート１９０が後退して図３のＥ位置に移動する。これと同時に配布キャリア８１の昇降モータ９７が駆動してピニオンギア９８の切り欠き部９８ａとラック９５と対向する状態となって両者の噛合が解除され、コイルバネ８９の弾性力により積載部８６ｂが勢いよく上昇して、図２１に示すように、積載部８６ｂと繰出ローラ９３とによりカード群ＣＡがコイルバネ８９の弾性力が付与された状態で挟持される。そして、ゲームが開始されると、前述したように配布キャリア８１が図３のＤ位置方向に移動してカードＣのマークＭの読み取り及び配布が行われる。
【００２０】
一方、前記カード収容装置１１０のカード積載プレート１１５に所定枚数（４セット分）のカード群ＣＢが積載されると、昇降モータ１２１が駆動して積載部１１５ｂが最高位置まで上昇する。そして、送出プレート１９０により積載部１１５ｂ上のカード群ＣＢがカードシャッフル装置１３０の送出側積載プレート１３１の積載部１３１ｂに搬送される（図２６参照）。カード群ＣＢが送出側積載プレート１３１の積載部１３１ｂ上に搬送されると、図２７に示すように、昇降モータ１３６が駆動して積載部１３１ｂが所定量だけ上昇する。次に押し出しモータ１４５が駆動して、貫通孔１４２から押し出しプレート１４０が受取側積載プレート１５０側へ突出する。このとき、傾動ブラケット１６０はソレノイド１７０の励磁に伴い、傾動状態に保持されている。また、このときの受取側積載プレート１５０の積載部１５０ｂの高さは、前記送出側積載プレート１３１の積載部１３１ｂの高さに対応して予め設定された所定の高さに保持されている。両積載部１３１ｂ，１５０ｂの高さは、積載部１３１ｂ，１５０ｂの高さを検出するセンサ１８０ａ，１８０ｂからの信号に基づいて、コントローラが駆動制御している。
押し出しプレート１４０が受取側積載プレート１５０側に突出することにより、押し出しプレート１４０の押し出し部１４０ｂと対向するカード群ＣＢの上層部の複数枚のカードＣが、押し出し部１４０ｂにより受取側積載プレート１５０の積載部１５０ｂ側に搬送される。カードＣが積載部１３１ｂから積載部１５０ｂへ搬送されると、押し出しモータ１４５が反転駆動して、押し出しプレート１４０が図２６の位置へ復帰する。引き続き、残りの積載部１３１ｂ上のカードＣが複数回にわたって同様に受取側積載プレート１５０の積載部１５０ｂ上にすべて受け渡される。カードＣの受け渡しはその都度ランダムに異なる。すなわち、送り出し側積載プレート１３１の積載部１３１ｂの上昇量が変化するとともに、送り出し側積載プレート１３１の積載部１３１ｂの上昇位置に応じて受取側積載プレート１５０積載部１５０ｂの下降位置も変化する。これにより、カードＣのスムーズな受け渡しを行うことができる。
【００２１】
そして、全カードＣが受取側積載プレート１５０の積載部１５０ｂに受け渡されると、図２８に示すように、ソレノイド１７０の励磁が解除され、ソレノイド１７０のロッド１７１が収縮して傾動ブラケット１６０は水平状態に復帰する。このとき、カード群ＣＢは板バネ１６９の弾性力が付与された状態で積載部１５０ｂとローラ１６５とで挟持される。そして、図２９に示すように、送りモータ１６１が駆動して、ローラ１６５と接触している積載部１５０ｂ上のカード群ＣＢが１枚ずつ送出側積載プレート１３１の積載部１３１ｂ上に繰り出される。送出側カード積載プレート１３１へのカードＣの繰り出し枚数に伴い、徐々に積載部１５０ｂが上昇することで繰出ローラ１５６とカードＣとの間に隙間ができるのが防止される。また、送出側積載プレート１３１の積載部１３１ｂもカードＣの枚数に伴い、徐々に下降していく。
受取側カード積載プレート１５０側から送出側カード積載プレート１３１への全カードＣの繰り出しが終了すると、再度、前記と同様に送出側積載プレート１３１から受取側積載プレート１５０へのカード群ＣＢの受け渡しが行われる。そして、受取側積載プレート１５０からも前記と同様に１枚ずつカードＣが繰り出される。送出側カード積載プレート１３１と受取側カード積載プレート１５０との間で複数回（例えば５回）のカードＣの受け渡し動作が行われる。送出側カード積載プレート１３１から受取側カード積載プレート１５０へカードＣを受け渡しする際の枚数は、毎回ランダムで変更される。毎回カードＣの枚数を変更して受け渡しを行うことにより、積層状態にあったカードＣの順番が大きく入れ替わる。すなわち、このカードシャッフル装置１３０においてカード群ＣＢのシャッフル（カードＣを切る動作）が行われる。所定回数の受け渡し動作が行われた後、カード群ＣＢは送出側カード積層プレート１３１の積層部１３１ｂ上に待機する。
そして、配布キャリア８１が配布するカードＣが無くなり（少なくなり）、配布キャリア８１が図３のＣ位置に移動すると、前述したように送出プレート１９０により送出側積層プレート１３１の積層部１３１ｂ上のカード群ＣＢが配布キャリア８１のカード積層プレート８６の積層部８６ｂ上に搬送される。
以上の動作が繰り返されて。本実施の形態１のカードゲーム機１１による遊技が行われる。
【００２２】
上記のように本実施の形態１ではカードゲーム機１１を構成したことにより、次のような効果を得ることができる。
（１）画像等の擬似的なカードを使用する従来のゲーム機と比較した場合、本実施の形態１では本物のカードＣを使用したことにより、ゲームのリアリティが向上し、カードゲームの面白さを大幅に向上することができる。
（２）本物のカードＣを使用してカードシャッフル装置１３０により配布前のカードＣをシャッフルするように構成した。これにより、カードゲーム機１１のコントローラもカードＣの積層順番を認識できない。従って、予め決められたプログラムに基づいてカードを配布する従来技術とは異なり、プレーヤはゲームの結果を予測することが非常に困難となる。その結果、ゲームの難易度が増し、一層楽しくゲームを行うことができる。
（３）送出側積載プレート１３１と受取側積載プレート１５０との間でカードＣの搬送動作、すなわち、シャッフル動作を複数回行うようにしたことにより、カード群ＣＢの積層状態をシャッフルする以前よりも確実にバラバラにすることができる。これにより、ゲームの難易度が向上し、より一層ゲームを楽しく行うことができる。
（４）送出側カード積層プレート１３１から受取側カード積層プレート１５０へカードＣを搬送する際、受取側カード積層プレート１５０上のカードＣの積層枚数に応じて、同受取側カード積層プレート１５０と送出側カード積層プレート１３１との間の高さ位置が変化するようにした。すなわち、受取側カード積載プレート１５０上のカードＣの枚数が多くなるにつれ、送出側カード積載プレート１３１に対する受取側カード積載プレート１５０の高さが低くなるようにしたことにより、送出側カード積載プレート１３１からカードＣを搬送する際、受取側カード積載プレート１５０上のカード群ＣＢに搬送されたカードＣが干渉するのが防止され、スムーズなカードＣの搬送動作を行うことができる。これにより、シャッフル動作時のトラブルを抑制することができ、ひいてはスムーズなゲーム進行が可能となる。
（５）受取側カード積層プレート１５０から送出側カード積層プレート１３１へカードＣを搬送する際、送出側カード積層プレート１３１上のカードＣの積層枚数に応じて、同送出側カード積層プレート１３１と受取側カード積層プレート１５０との間の高さ位置が変化するようにした。すなわち、送出側カード積載プレート１３１上のカードＣの枚数が多くなるにつれ、受取側カード積載プレート１５１に対する送出側カード積載プレート１３１の高さが低くなるようにしたことにより、受取側カード積載プレート１５１からカードＣを繰り出す際、送出側カード積載プレート１３１上のカード群ＣＢに繰り出されたカードＣが干渉するのが防止され、スムーズなカードＣの搬送動作を行うことができる。これにより、シャッフル動作時のトラブルを抑制することができ、ひいてはスムーズなゲーム進行が可能となる。
（６）送出側積載プレート１３１上のカード群ＣＢを受取側積載プレート１５０へ搬送（繰り出す）する際、常時カード群ＣＢの上層部から搬送するようにした。これにより、カード群ＣＢの崩れを防止することができる。すなわち、カード群ＣＢの中層部や下層部から複数枚のカードＣを受取側積載プレート１５０へ搬送しようとする場合、その搬送しようとするカードＣの上層にあるカード群が崩れ落ちるおそれがある。従って、本実施形態では、カード群ＣＢの崩れを防止でき、確実にカードＣのシャッフル動作を行うことができる。
（７）カードテーブル１９をヘアラインの施されたステンレス製の板材で構成したことによりカードＣの滑りがスムーズに行われ、ゲーム中にプレーヤに与えるストレスを軽減できる。
【００２３】
（８）配布キャリア８１にＣＣＤカメラ１０７及びＬＥＤ１０８を備えたセンサユニット１０６を設けて、配布前のカードＣのマークＭを予め識別するようにした。そして、プレーヤによりボタン１８の操作で入力された数字やマーク等と予め識別したカードＣのマークＭを比較し、カードテーブル１９上でカードＣが反転される以前にゲーム結果を判定するようにした（プレーヤには報知しないで判定）。これにより、全カードＣの反転完了後に素早くプレーヤにゲーム結果を報知することができ、スムーズなゲーム進行が可能とる。その結果、プレーヤにストレスを与えることなくより一層楽しくゲームを行うことができる。
（９）カードＣのマークＭを識別する際、カードＣの全体をＣＣＤカメラ１０７で映し出して識別するのではなく、カードＣの角部に表示されているマークＭのみを映し出して識別するようにした。これにより、カードＣの全体を映し出す場合に比べてＣＣＤカメラ１０７を小型化でき、ひいてはカード配布装置７０を小型化できる。
（１０）本実施の形態１では、配布キャリア８１に積載するカード群ＣＡの他にもう一群のカード群ＣＢをカードシャッフル装置１３０に待機させておくようにしたことにより、ゲームが複数回行われて配布キャリア８１のカード群ＣＡが無くなった場合でも、素早く配布キャリア８１にカード群ＣＢを搬送することができる。すなわち、カード群ＣＡが一群しか用意されていない場合には、全カードＣを回収してカード群ＣＡとした後でなければ配布キャリア８１にカード群ＣＡを搬送することができない。この場合、次のゲームが行われるまでプレーヤが待機する時間が長時間となり、プレーヤにストレスを与えてしまう。しかし、カード群ＣＡ，ＣＢを２群用意することにより、ゲーム待機時間のプレーヤに与えるストレスを軽減できる。その結果、さらに一層ゲームを楽しく行うことができる。
【００２４】
（実施の形態２）
実施の形態２のカードゲーム機では実施の形態１とはシャッフル手段の具体的構造のみが異なる。以下、実施の形態２のカードゲーム機のシャッフル手段について簡単に説明する。
図３０に示すように、実施の形態２のカードゲーム機におけるカードシャッフル手段は前後二箇所にエレベータ２０１，２０２が配設されている。手前側（図３０における右側）のエレベータ２０１の側方には第１の保持手段としての第１のカードボックス２０３が配設されている。第１のカードボックス２０３は四方を壁に包囲された方形の筒体とされている。第１のカードボックス２０３はエレベータ２０１と交差する位置を基準位置とし、後方（図３０では左方）に移動可能とされている。第１のカードボックス２０３の下方位置には回収ボックス２０４が配設されている。回収ボックス２０４は四方を壁に包囲された方形の筒体とされている。回収ボックス２０４は実施の形態１ではカード積載プレート１１５に相当する。回収ボックス２０４は前記カード収容装置１１０から回収されたカードが収納される。回収ボックス２０４は前記カード収容装置１１０からのカードを受け渡しを受ける位置を基準位置とし、エレベータ２０１と交差する位置に移動可能とされている。
エレベータ２０１，２０２の間にはカードシャッフル装置２０５が配設されている。カードシャッフル装置２０５はカードを一枚ずつ下方に繰り出していく取り出し手段及び積層手段としてのローラ機構部２０６を備えている。ローラ機構部２０６の前後には案内トレイ２０７が延設されている。ローラ機構部２０６の下方にはローラ機構部２０６から繰り出されたカードを受け取る第２の保持手段としての搬出ボックス２０９が配設されている。搬出ボックス２０９は四方を壁に包囲された方形の筒体とされている。搬出ボックス２０９はローラ機構部２０６下方位置を基準として前後のエレベータ２０１，２０２と交差する位置に移動可能とされている。
奧側（プレーヤ側）のエレベータ２０１の側方には第３の保持手段としての第３のカードボックス２１０が配設されている。第３のカードボックス２１０は四方を壁に包囲された方形の筒体とされている。第３のカードボックス２１０はローラ機構部２０６を挟んで第１のカードボックス２０３と対向位置に配置され、その動作も第１のカードボックス２０３と対称とされる。第３のカードボックス２１０の上部位置には配布ボックス２１１が配設されている。
【００２５】
このような構成において、特にカードＣのシャッフル作用について説明する。尚、図３０における各ボックスは基準位置を斜線で示している。
カード収容装置１１０から回収されたカード（すでに反転されている）は回収ボックス２０４に収容され、Ａ１位置からＡ２位置（エレベータ２０１位置）に移動する。ここで、エレベータ２０１の昇降トレイ２１２によって回収ボックス２０４内のカード群ＣＡ，ＣＢは回収ボックス２０４を残して上昇させられ、第１のカードボックス２０３内に配置させられる。ここで、第１のカードボックス２０３はＢ１位置からＢ２位置（案内トレイ２０７上）に移動する。この移動に伴って昇降トレイ２１２上のカード群ＣＡ，ＣＢも第１のカードボックス２０３に押し出されて案内トレイ２０７上に移動する。
【００２６】
ついで、ローラ機構部２０６によって第１のカードボックス２０３内のカード群ＣＡ，ＣＢは下側から一枚ずつ繰り出されカードＣの半数枚がＣ１位置の搬出ボックス２０９に収容される。つまり第１のカードボックス２０３内にも半数枚が残ることとなる。搬出ボックス２０９は半数枚のカードＣが収容されるとＣ２位置（エレベータ２０２位置）に移動する。エレベータ２０２の昇降トレイ２１３によって搬出ボックス２０９内の半数枚のカードは搬出ボックス２０９を残して上昇させられ、第３のカードボックス２１０内に配置させられる。ここで、第３のカードボックス２１０はＤ１位置からＤ２位置（案内トレイ２０７上）に移動する。この移動に伴って昇降トレイ２１３上の半数枚のカードＣも第３のカードボックス２１０に押し出されて案内トレイ２０７上に移動する。ついで、ローラ機構部２０６によって第１及び第３のカードボックス２０３，２１０内のそれぞれ半数枚のカードＣは下側から交互に一枚ずつ繰り出されカードの半数枚がＣ１位置に戻った搬出ボックス２０９に収容される。これによって一回目のシャッフルが完了する。
一回目のシャッフルが完了すると搬出ボックス２０９はＣ３位置（エレベータ２０１位置）に移動する。そして、エレベータ２０１の昇降トレイ２１２によって回収ボックス２０４内のカード群ＣＡ，ＣＢは回収ボックス２０４を残して上昇させられ、第１のカードボックス２０３内に配置させられる。以下は上記と同じ工程で２回目のシャッフル動作が行われる。
本実施の形態２では５回のシャッフルが完了すると搬出ボックス２０９はＣ２位置（エレベータ２０２位置）に移動する。エレベータ２０２の昇降トレイ２１３によってシャッフルが完了した搬出ボックス２０９内のカード群ＣＡ，ＣＢは搬出ボックス２０９を残して上昇させられ、配布ボックス２１１に受け渡され以後先のカード群ＣＡ，ＣＢのカードがゲーム進行によってなくなると配布キャリア８１に新しいカード群ＣＡ，ＣＢとして受け渡される。尚、シャッフルの回数は適宜変更可能である。
【００２７】
本実施の形態２では次のような効果を得ることができる。
（１）本物のカードＣを使用してカードシャッフル装置２０５により配布前のカードＣをシャッフルするように構成した。これにより、カードゲーム機１１のコントローラもカードＣの積層順番を認識できない。従って、予め決められたプログラムに基づいてカードを配布する従来技術とは異なり、プレーヤはゲームの結果を予測することが非常に困難となる。その結果、ゲームの難易度が増し、一層楽しくゲームを行うことができる。
（２）カードＣを半分に分けてこれらを交互に積層していくことで確実にカードの並び順のバラバラなカード群ＣＡ，ＣＢとすることができるため、カードＣがよりしっかりと切り混ぜられることとなる。
（３）シャッフル動作を複数回行うようにしたことにより、カード群ＣＡ，ＣＢの積層状態をシャッフルする以前よりも確実にバラバラにすることができる。これにより、ゲームの難易度が向上し、より一層ゲームを楽しく行うことができる。
（４）第１のカードボックス２０３からローラ機構部２０６で繰り出された半数枚のカードＣは下方にある搬出ボックス２０９に収容されるが、このままでは上段に位置するローラ機構部２０６によって第１のカードボックス２０３と交互にシャッフルすることはできない。しかし、搬出ボックス２０９から第３のカードボックス２１０を介して上段のシャッフル位置にカードＣが運搬されるためそのような不具合が生じない。
【００２８】
（実施の形態３）
次に、本発明を具体化した実施の形態３を図面に基づいて説明する。実施の形態３は実施の形態２のシャッフル手段を更に敷衍して説明したものである。
図３１に示すように、ベース３０１には第１のエレベータ３０２及び搬送手段を構成する第２のエレベータ３０３が前後（同図では左右方向）に配設されている。両エレベータ３０１，３０２の全高は異なり、前側に配設された第１のエレベータ３０２の全高よりも第２のエレベータ３０３の全高が高く設定されている。図３１及び図３２に示すように、第１のエレベータ３０２を構成する四角柱状のフレーム３０４には第１の案内プレート３０５及び第２の案内プレート３０６が、フレーム３０４に沿って昇降可能に係合されている。下側に配置された第１の案内プレート３０５の左側面（図３１において正面）には支持ブラケット３０７が固定されている。同支持ブラケット３０７の上面には固定プレート３０８が連結されている。同固定プレート３０８の上面にはカード積載プレート３０９が固定されている。前記カード積載プレート３０９の上面はカードＣの面積よりも小面積となっている。また、前記第１の案内プレート３０５の背面（図３１において左側面）には昇降ブラケット３１０が連結固定されている。前記第１のエレベータ３０２の背面（図３１において左側面）の上部には駆動側プーリ３１１が支持されている。駆動側プーリ３１１には図示しないモータが連結され、同モータの駆動に伴い駆動側プーリ３１１は正逆回転するようになっている。また、第１のエレベータ３０２の背面の下部には従動側プーリ３１２が支持されている。両プーリ３１１，３１２にはベルト３１３が掛装されている。前記昇降ブラケット３１０はベルト３１３に連結され、モータの駆動に伴い、前記カード積載プレート３０９が図３２（ａ）の実線位置と２点鎖線位置との間を昇降移動するようになっている。
前記第２の案内プレート３０６の左側面（図３１において正面）には押圧手段としての横Ｌ字形のウェイト３１４が支持されている。同ウェイト３１４の押圧面３１４ａは前記カード積載プレート３０９と対向している。また、第２の案内プレート３０６の前面（図３１において右側面）には昇降ブラケット３１９が連結固定されている。前記第１のエレベータ３０２の前面（図３１において右側面）の上部には駆動側プーリ３１５が支持されている。駆動側プーリ３１５にはモータ３１６が切換手段としてのワンウェイクラッチ３２０を介して連結されている。また、第１のエレベータ３０２の前面の下部には従動側プーリ３１７が支持されている。両プーリ３１５，３１７にはベルト３１８が掛装されている。前記昇降ブラケット３１９はベルト３１８に連結されている。
【００２９】
図３２に示すように、前記ワンウェイクラッチ３２０はモータ３１６が正転（図３２（ａ）において時計方向）した場合にのみ駆動側プーリ３１５へモータ３１６の回転力を伝達するようになっている。一方、モータ３１６の反転時にワンウェイクラッチ３２０はモータ３１６の回転力を駆動側プーリ３１５に伝達しない。すなわち、ワンウェイクラッチ３２０の作用によってモータ３１６の回転力はモータ３１６の正転時のみ駆動側プーリ３１５へ伝達され、モータ３１６の反転時にはモータ３１６の駆動力は駆動側プーリ３１５に伝達されないようになっている。従って、モータ３１６の正転時には前記ウェイト３１４が強制的に上昇し、モータ３１６の反転時にはウェイト３１４が自重で下降する。また、モータ３１６の回転が停止した場合には、ウェイト３１４はモータ３１６が停止した際の位置にて停止保持されるようになっている。
図３１に示すように、前記第２のエレベータ３０３にも前記第１のエレベータ３０２と同様に、カード積載プレート３０９及びウェイト３１４が設けられている。本実施の形態では両エレベータ３０２，３０３はフレーム３０４の全高、カード積載プレート３０９の最大上昇位置及びウェイト３１４の最大上昇位置が異なる点が相違するだけのため、同一部材番号を付して説明するとともに、その詳細な説明については省略する。
【００３０】
図３１に示すように、前記第１のエレベータ３０２と第２のエレベータ３０３との間にはシャッフル手段としてのカードシャッフル装置３２１が配置されている。カードシャッフル装置３２１を構成するサイドプレート３２２にはカード摺接プレート３２３が支持されている。同カード摺接プレート３２３は前記両カード積載プレート３０９の待機位置（図３１の位置）に保持されている状態において、両カード積載プレート３０９と同高さの水平状態に保持されている。また、第１のエレベータ３０２側のカード積載プレート３０９の前方（図３１において右側）にはカード回収プレート３２５が配置されている。カード回収プレート３２５の上方には、上記各実施の形態にて説明したカード収容装置１１０が配置されている。カード回収プレート３２５は前記第１のエレベータ３０２のカード積載プレート３０９が図３１の待機位置に保持されている状態において、カード積載プレート３０９と同高さの水平状態に保持されている。すなわち、カード回収プレート３２５、両カード積載プレート３０９（待機位置の状態）、カード摺接プレート３２３の上面は一直線上の関係にある。
前記カード回収プレート３２５の上面には第１のカード搬送ボックス３３１が載置されている。図３１及び図３２に示すように、第１のカード搬送ボックス３３１は四角筒状に形成され、上下面は上記カードＣとほぼ同面積で開口している。また、図３２おいて第１のカード搬送ボックス３３１の右側面には上下方向に向かって切り欠かれた切り欠き部３３１ａが形成されている。第１のカード搬送ボックス３３１の内側面はカードＣの外周面と接触して同ボックス３３１に対するカードＣの移動を規制するようになっている。
【００３１】
前記カード摺接プレート３２３には前記第１のカード搬送ボックス３３１と同形状の第２の保持手段としての第２のカード搬送ボックス３４１が載置され、同第２のカード搬送ボックス３４１にも上下方向に延びる切り欠き部３４１ａが形成されている。前記両カード搬送ボックス３３１，３４１はサイドプレート３２２に支持された第１のガイドレール３４５に沿って図示しないモータの駆動力により各プレート３０９，３２３，３２５上を摺接しながら移動するようになっている。
前記第１及び第２のエレベータ３０２，３０３の間には前後一対（図３１において左右一対）の第１のカードシャッフルプレート３５１及び第２のカードシャッフルプレート３５２がサイドプレート３２２に支持されている。両シャッフルプレート３５１，３５２はその上面が、前記カード積載プレート３０９の上昇位置（図３２の二点鎖線の位置）に保持されている状態おいて、カード積載プレート３０９の上面と同高さに支持されている。両カードシャッフルプレート３５１，３５２の先端部付近にはローラ露出孔３５１ａ，３５２ａがそれぞれ開口形成されている。
また、両シャッフルプレート３５１，３５２の中央部にはカード検出孔３５１ｂ，３５２ｂがそれぞれ開口形成されている。カード検出孔３５１ｂ，３５２ｂの下方にはカードＣを検出するカードセンサ３５３，３５４がそれぞれ装着されている。前記両カードシャッフルプレート３５１，３５２の下方において供給ローラ３５５，３５６がそれぞれ支持されている。両供給ローラ３５５，３５６の上部外周面は前記ローラ露出孔３５１ａ，３５２ａからシャッフルプレート３５１，３５２の上面に露出している。この供給ローラ３５５，３５６はモータ３５７，３５８によってそれぞれ積極回転する。
【００３２】
また、両カードシャッフルプレート３５１，３５２の先端方向にはプラテンローラ３５９，３６０がそれぞれ支持されている。両プラテンローラ３５９，３６０はモータ３６１，３６２によってそれぞれ積極回転する。第１のシャッフルプレート３５１側のローラ３５５、３５９は図３１において反時計方向に回転し、第２のシャッフルプレート３５２側のローラ３５６、３６０は時計方向に回転する。前記両プラテンローラ３５９，３６０の上方には排出カード検出センサ３６３，３６４が同ローラ３５９，３６０の上方にて接触状態で配置されている。なお、前記各ローラ３５５，３５６、３５９，３６０、各モータ３５７，３５８、３６１，３６２、各センサ３５３，３５４はサイドプレート３２２に支持されている。本実施の形態では、第１のカードシャッフルプレート３５１、供給ローラ３５５、プラテンローラ３５９、モータ３５７，３６１、排出カード検出センサ３６３等により取り出し手段を構成している。また、第２のカードシャッフルプレート３５２、供給ローラ３５６、プラテンローラ３６０、モータ３５８，３６２、排出カード検出センサ３６４等により積層手段を構成している。
また、前記サイドプレート３２２の上部には前記第１のガイドレール３４５と平行に延びる第２のガイドレール３６７が支持されている。第２のガイドレール３６７には第１の保持手段としての第１のカード供給ボックス３７１及び第３の保持手段、搬送手段としての第２のカード供給ボックス３７２が係合している。両供給ボックス３７１，３７２は図示しないモータの駆動力によって第２のガイドレール３６７に沿って図３１の位置と図３８の位置との間を前後方向（図３１において左右方向）に移動するようになっている。前記両カード供給ボックス３７１，３７２の移動時には、カード供給ボックス３７１，３７２の下端面が前記シャッフルプレート３５１，３５２の上面に摺接するようになっている。両カード供給ボックス３７１，３７２の互いに対向する面の下部には、カード供給ボックス３７１，３７２のシャッフルプレート３５１，３５２側への移動時に供給ローラ３５５，３５６と干渉しないように逃げ部３７１ｂ，３７２ｂが形成されている。また、両カード供給ボックス３７１，３７２には前記カード搬送ボックス３３１，３４１と同様に上下方向に延びる切り欠き部３７１ａ，３７２ａがそれぞれ形成されている。
【００３３】
カードテーブル１９の上方にはカード配布装置３９０が配置されている。本実施の形態に使用されるカード配布装置３９０にはエレベータ３９１が配置されている。同エレベータ３９１はカード配布装置３９０と一体となって上記カードテーブル１９上方において左右方向へ往復動する。エレベータ３９１には前記カード積載プレート３０９と同形状の配布用カード積載プレート３９２が配置されている。エレベータ３９１の駆動に伴い、配布用カード積載プレート３９２は昇降移動するようになっている。また、カード配布装置３９０には前後方向（図３１において左右方向）に延びるガイドレール３９３が設けられている。このガイドレール３９３には前記カード搬送ボックス３３１と同形状の配布用カードボックス３９４が係合している。同ボックス３９４はガイドレール３９３に沿って図３１と図４２の２位置間で図示しないモータの駆動力により移動するようになっている。      
【００３４】
次に本実施の形態の作用について説明する。
図３１に示すように、ゲーム時にはカード配布装置３９０に積載されているカード群ＣＡの最上面のカードＣから１枚ずつカードテーブル１９上に配布される。そして、１ゲーム終了毎にカードテーブル１９上に配布されたカードＣがカード回収装置（本実施の形態では図示せず）によりカード収容装置１１０に収容される。カード収容装置１１０は収容したカードＣを反転させて第１のカード搬送ボックス３３１へ放出する。従って、第１のカード搬送ボックス３３１に収容されたカードＣは裏返った状態に保持される。そして、ゲームが複数回行われ、第１のカード搬送ボックス３３１内に所定枚数（４セット分）のカードＣが積載保持されると、第１のカード搬送ボックス３３１はそれらをカード群ＣＢとして図３３の位置、すなわち、第１のエレベータ３０２位置まで搬送する。このとき、カード群ＣＢは第１のカード搬送ボックス３３１の前側（図３３において右内側面）の内側面に押圧される状態となって、カード回収プレート３２５及びカード積載プレート３０９上を摺接しながら第１のカード搬送ボックス３３１とともに移動する。
カード群ＣＢの移動時には、各カードＣが第１のカード搬送ボックス３３１の内壁に接触して、前後左右方向への移動が規制される。第１のカード搬送ボックス３３１が第１のエレベータ３０２位置に到達すると、同エレベータ３０２側のモータ３１６が図３２において反時計方向へ回転する。このとき、モータ３１６の回転力はワンウェイクラッチ３２０により駆動側プーリ３１５には伝達されず、駆動側プーリ３１５はフリーな状態となり、ウェイト３１４は自重により落下する。そして、ウェイト３１４の押圧面３１４ａが第１のカード搬送ボックス３３１内のカードＣＢに接触することでウェイト３１４の落下は停止する。このとき、第１のカード搬送ボックス３３１内のカードＣが傾いて積層した状態にあっても、ウェイト３１４の押圧面３１４ａによりカードＣが上方から押さえられることにより、カードＣの傾きが強制的に補正され、各カードＣは密着状態で積層保持される。
【００３５】
ウェイト３１４の落下動作が完了すると、第１のエレベータ３０２側のカード積層プレート３０９が図３４の位置、すなわち、第１のカードシャッフルプレート３５１と同高さまで上昇する。このとき、モータ３１６はまだ反時計方向に回転している。すなわち、ウェイト３１４はカード群ＣＢ上に乗り上がった状態で、カード積載プレート３０９の上昇力によりカード群ＣＢと一体となって上昇する。従って、カード群ＣＢの上昇時には、同カード群ＣＢはカード積載プレート３０９とウェイト３１４の押圧面３１４ａにより挟持された状態に保持され、上昇時にカード群ＣＢの傾きが防止される。
カード群ＣＢが図３４の位置まで上昇すると、モータ３１６が図３２の時計方向に回転し、ウェイト３１４が強制的に最高位置（図３１の位置）まで上昇する。そして、第１のカード供給ボックス３７１が第１のカードシャッフルプレート３５１上へ移動する。このとき、カード群ＣＢは第１のカード供給ボックス３７１の前側（図３５において右内側面）の内側面に押圧される状態となって、カード積層プレート３０９及び第１のカードシャッフルプレート３５１上を摺接しながら第１のカードシャッフルプレート３５１上へ移動する。
カード群ＣＢが第１のカードシャッフルプレート３５１上へ移動すると、モータ３５７，３６１が駆動され、供給ローラ３５５によりカード群ＣＢの最下面のカードＣがプラテンローラ３５９側に繰り出される。繰り出されたカードＣはプラテンローラ３５９と排出カード検出センサ３６３との間に挟持された状態で、後方へ排出される。排出されたカードＣは待機している第２のカード搬送ボックス３４１内に収容される。カードＣが所定枚数（２セット分）第１のカード供給ボックス３７１から排出されると、カードＣの排出動作は停止する。カードＣの排出枚数は排出カード検出センサ３６３からの信号に基づいて、図示しないコントローラによりカウントされる。
【００３６】
図３６に示すように、所定枚数のカードＣを収容すると、第２のカード搬送ボックス３４１は第２のエレベータ３０３位置まで搬送する。このとき、カード群ＣＢは第２のカード搬送ボックス３４１の前側（図３６において右内側面）の内側面に押圧される状態となって、カード摺接プレート３２３及びカード積載プレート３０９上を摺接しながら第２のカード搬送ボックス３４１とともに移動する。カード群ＣＢの移動時には、各カードＣが第２のカード搬送ボックス３４１の内壁に接触して、前後左右方向への移動が規制される。第２のカード搬送ボックス３４１が第２のエレベータ３０３位置に到達すると、同エレベータ３０３側のモータ３１６が図３２において反時計方向へ回転する。このときも、前記第１のエレベータ３０２側と同様に、ワンウェイクラッチ３２０の作用によりウェイト３１４は自重により落下する。そして、ウェイト３１４の押圧面３１４ａが第２のカード搬送ボックス３４１内のカードＣＢに接触することでウェイト３１４の落下は停止する。
次に第２のエレベータ３０３側のカード積層プレート３０９が図３７の位置、すなわち、第２のカードシャッフルプレート３５２と同高さまで上昇する。このときも、前記第１エレベータ３０２側と同様に、カード群ＣＢはカード積載プレート３０９とウェイト３１４の押圧面３１４ａにより挟持された状態で所定位置まで上昇する。そして、第２のカード搬送ボックス３４１は図３１の位置へ移動復帰する。
【００３７】
カード群ＣＢが図３７の位置まで上昇すると、ウェイト３１４は強制的に最高位置（図３１の位置）まで上昇する。そして、第２のカード供給ボックス３７２が第２のカードシャッフルプレート３５２上へ移動する。このとき、カード群ＣＢは第２のカード供給ボックス３７２の後側（図３８において左内側面）の内側面に押圧される状態となって、カード積層プレート３０９及び第２のカードシャッフルプレート３５２上を摺接しながら第２のカードシャッフルプレート３５２上へ移動する。
図３８に示すように、カード群ＣＢが第２のカードシャッフルプレート３５２上へ移動すると、各モータ３５７，３５８，３６１，３６２が駆動され、両カード供給ボックス３７１，３７２からカードＣが交互に第２のカード搬送ボックス３４１へ排出される。従って、第２のカード搬送ボックス３４１内に排出されたカードＣの積層順序は、第１のカード供給ボックス３７１側のカードＣ、第２のカード供給ボックス３７２側のカードＣ、第１のカード供給ボックス３７１側のカードＣ・・・・・・、と交互に積層された状態となる。両ボックス３７１，３７２内のカードＣを交互に排出するタイミングは両排出カード検出センサ３６３，３６４からの信号に基づいてコントローラが各モータ３５７，３５８，３６１，３６２を駆動制御することにより行われる。両ボックス３７１，３７２内の全カードＣが排出されると、カードセンサ３５３，３５４からの信号に基づいてコントローラが各モータモータ３５７，３５８，３６１，３６２を停止させる。このにより１回目のシャッフル動作が完了する。
【００３８】
次に図３９に示すように、第２のカード搬送ボックス３４１は第１のエレベータ３０２へ移動してカード群ＣＢを搬送し、前記第１のカード搬送ボックス３３１内のカード群ＣＢを上昇させる際と同様に、ウェイト３１４が落下して第２のカード搬送ボックス３４１内のカードＣＢを上方から押さえながら、カード積載プレート３０９が図３４の位置まで上昇する。その後は前記と同様に図３４〜図３９の動作を複数回（本実施の形態では５回）繰り返される。すなわち、シャッフル動作が５回行われる。なお、シャッフル動作の回数は適宜変更してもよい。
所定回数のシャッフル動作が完了すると、図４０に示すように、第２のカード搬送ボックス３４１がカード群ＣＢを第２のエレベータ３０３位置まで搬送するとともに、ウェイト３１４が下降してきてカード群ＣＢを押さえる。そして、図４１に示すように、ウェイト３１４がカード群ＣＢを押さえた状態でカード積載プレート３０９がカード配布装置３９０と対向する位置まで上昇する。次にウェイト３１４が最大高さまで上昇した後、配布用カードボックス３９４が前方（図４２では右方向）へ移動し、カード積載プレート３０９からカード配布装置３９０の配布用カード積載プレート３９２上にカード群ＣＢが乗り移り、配布用のカード群ＣＡとなる。これにより、カード群ＣＡがカード配布装置３９０に補充され、カード配布装置３９０によるカードＣの配布が可能となる。カード配布装置３９０は上記各実施形態と同様にカード群ＣＡの最上面のカードＣから配布する。そして、カードＣの残り枚数に応じてエレベータ３９１を駆動させ、配布用カード積載プレート３９２を上昇させる。
【００３９】
以上のようにして、本実施の形態ではカードＣのシャッフル動作及びカード配布装置３９０へのカード群ＣＡの補充が行われる。また、本実施の形態では、カード配布装置３９０に搭載するカードＣが全て配布される前にカード群ＣＡの補充を行う。すなわち、カード配布装置３９０のカードＣの枚数が少なくなってきた際に、カード群ＣＡの補充を行う。この場合、まず、第２のエレベータ３０３側のカード積載プレート３０９が図４２の高さまで上昇する。次にカード配布装置３９０の配布用カードボックス３９４を後方（図４２において左方向）へ移動する。このとき、配布用カードボックス３９４の前内側面により残りのカード群ＣＡが押圧され、配布用カード積載プレート３９２とカード積載プレート３０９上を摺接しながらカード積載プレート３０９上へ移動する。そして、ウェイト３１４が下降してカード積載プレート３０９上のカード群ＣＢを押さえながらカード積載プレート３０９が図３７の位置まで下降する。そして、第２のカード供給ボックス３７２が前方に移動し、カード積載プレート３０９上のカード群ＣＢが第２のカードシャッフルプレート３５２上に移動する。そして、モータ３５８，３６２が駆動し、第２のカードシャッフルプレート３５２上のカードＣが全て第２の搬送ボックス３４１内へ排出される。この状態で、カード群ＣＢを収容した第１の搬送ボックス３３１が第１のエレベータ３０２へ移動して、前記と同様にカードＣのシャッフル動作が行われる。
【００４０】
本実施の形態３では次のような効果を得ることができる。
（１）本物のカードＣを使用してカードシャッフル装置３２１により配布前のカードＣをシャッフルするように構成した。これにより、ゲーム進行を制御するコントローラもカードＣの積層順番を認識できない。従って、予め決められたプログラムに基づいてカードを配布する従来技術とは異なり、プレーヤはゲームの結果を予測することが非常に困難となる。その結果、ゲームの難易度が増し、一層楽しくゲームを行うことができる。
（２）カードＣを半分に分けてこれらを交互に１枚ずつ積層していくことで確実にカードＣの並び順がバラバラなカード群ＣＡ，ＣＢとすることができるため、カードＣがよりしっかりとシャッフル（切り混ぜられる）されることとなる。
（３）シャッフル動作を複数回行うようにしたことにより、カード群ＣＡ，ＣＢの積層状態をシャッフルする以前よりも確実にバラバラにすることができる。これにより、ゲームの難易度が向上し、より一層ゲームを楽しく行うことができる。
（４）カードＣを収容搬送する各ボックス３３１，３４１，３７１，３７２，３９４の形状をカードＣとほぼ同面積で開口する箱状に形成したことにより、ボックス３３１，３４１，３７１，３７２，３９４の内側面がカードＣ外周面に接触して前後左右方向への動きを規制するようにした。すなわち、各カードＣの向きを一定状態に保持するようにした。これにより、カード群ＣＡ，ＣＢを昇降させる際やカードＣのシャッフル動作時に一部のカードＣが他の部材に詰まってゲーム機を停止させたり、カードＣの搬送時にカード群ＣＡ，ＣＢが崩れて不具合が生じるのを防止することができる。
（５）カード積載プレート３０９でカード群ＣＢを移動させる際には、カード群ＣＢをウェイト３１４により上方から押さえながら行うようにした。これにより、カード群ＣＢの一部のカードＣが傾いて積層された状態にあっても、ウェイト３１４の重さでカードＣが正常な密着状態に保持される。これにより、カードＣのシャッフル動作時に各ローラ３５５，３５６，３５９，３６０が確実にカードＣを１枚ずつ繰り出すことができ、シャッフル動作の不具合の発生を防止することができる。
【００４１】
（６）ウェイト３１４の昇降させる機構としてワンウェイクラッチ３２０を使用して、モータ３１６の正転時には前記ウェイト３１４が強制的に上昇し、モータ３１６の反転時にはウェイト３１４が自重で下降するようにした。そして、カード積載プレート３０９の上昇時、すなわち、カード群ＣＢの上昇時にはモータ３２０を反転させてウェイト３１４をフリーな状態（自重で落下する状態）とした。これにより、カード積載プレート３０９の上昇動作とウェイト３１４の上昇動作とのタイミングを合わせる機構を必要としない。つまり、ウェイト３１４の昇降動作を常にモータ３１６の駆動力により強制的に行う場合には、カード積載プレート３０９の昇降速度とウェイト３１４の昇降速度を一致させなければならない。両速度に相違があった場合、例えば、カード積載プレート３０９の上昇速度がウェイト３１４の上昇速度よりも速い場合には、カード積載プレート３０９にウェイト３１４の重量の他にウェイト３１４を昇降移動させるための各種駆動機構の負荷が加わり、カード積載プレート３０９及びその周辺の部材（第１の案内プレート３０５や支持ブラケット３０７等）や各種プーリ３１１，３１２等の駆動機構が破損するおそれがある。また、カード積載プレート３０９の上昇速度がウェイト３１４の上昇速度よりも遅い場合には、ウェイト３１４の押圧面３１４ａがカード群ＣＢから離間して、カード積載プレート３０９の上昇時の衝撃等でカードＣが浮き上がったりするおそれがある。この場合、正常にローラ３５５，３５６，３５９，３６０により正常にカードＣの繰り出しが行われない。
このような理由からカード積載プレート３０９とウェイト３１４との上昇速度は常に一定とする必要があるとともに、カード積載プレート３０９に対するウェイト３１４の停止位置を常時最適な押圧力でカード群ＣＢを押圧する位置にする必要がある。しかし、これらの条件を満たすためには、複雑なタイミング機構を必要とするため、ゲーム機が非常に高価になるとともに、装置のメンテナンスも高い頻度で行う必要がある。
しかし、本実施の形態では、１部材であるワンウェイクラッチ３２０をモータ３１６とプーリ３１５との間に設けるだけで、カード積載プレート３０９とウェイト３１４との上昇速度及び相対位置関係の問題を解消することができ、ひいてはコストの削減を図ることができるとともに、メンテナンスも容易となる。
【００４２】
本発明を、以下のように具体化して実施してもよい。
・各実施の形態において、シャッフル手段としてのカードシャッフル装置１３０，２０５，３２１の設置数を適宜変更してもよい。カードシャッフル装置１３０，２０５，３２１を複数設置し、各カードシャッフル装置１３０，２０５，３２１にてカードＣのシャッフル動作を行うことにより、よりカードＣの積層関係をバラつかせることができる。
・実施の形態１では、シャッフル手段としてのカードシャッフル装置１３０を構成する第２の保持手段としての受取側カード積載プレート１５０から繰り出されるカードＣは、第１の保持手段としての送出側積載プレート１３１に常時最上面となるように積層されていったが、カードＣがある程度積み重なってカード群の状態になったら、受取側カード積載プレート１５０から繰り出されるカードＣをカード群の最上面ではなく、カード群の途中に差し込むようにして受け渡してもよい。この場合、より一層カードＣのシャッフルが効率よく行われる。
・実施の形態１では、シャッフル手段としてのシャッフル装置１３０を構成する第１の保持手段としての送出側積載プレート１３１と第２の保持手段としての受取側カード積載プレート１５０との両積載プレート１３１，１５０の高さが変化するようにしたが、積載プレート１３１，１５０の高さを変化させずに具体化したり、いずれか一方の積載プレート１３１，１５０のみの高さを変化させるようにして具体化してもよい。
・実施の形態１において、シャッフル手段としてのカードシャッフル装置１３０の送出側積載プレート１３１と受取側カード積載プレート１５０とのカードＣの受け渡し回数（シャッフル回数）を適宜変更して具体化してもよい。
・実施の形態１では、シャッフル手段としてのカードシャッフル装置１３０を構成する第１の保持手段としての送出側カード積載プレート１３１から繰り出されるカードＣは、常時カード群ＣＢの上層部から第２の保持手段としての受取側カード積載プレート１５０へ搬送されるようにしたが、送出側カード積載プレート１３１からカードＣを搬送する際、カード群ＣＢの中層部や下層部からカードＣを搬送するようにしてもよい。
【００４３】
・実施の形態１において、シャッフル手段を構成するシャッフル装置１３０を構成する第１の保持手段としての送出側カード積載プレート１３１上のカード群ＣＢの搬送手段と、第２の保持手段としての受取側カード積載プレート１５０上のカード群ＣＢの搬送手段とを同じ構成としてもよい。すなわち、各カード積載プレート１３１，１５０上のカード群ＣＢの搬送を第１の搬送手段としての押し出しプレート１４０により押し出して搬送するようにしたり、第２の搬送手段としてのローラ１６５の回転力により繰り出して搬送するようにしてもよい。
・実施の形態１において、シャッフル手段としてのカードシャッフル装置１３０を構成する第１の保持手段としての送出側カード積載プレート１３１上のカードＣを、全て第２の保持手段としての受取側積載プレート１５０へ搬送したが、送出側カード積載プレート１３１上にカードＣを数枚残した状態で、受取側カード積載プレート１５０からカードＣを送出側カード積載プレート１３１へ搬送するようにしてもよい。
・実施の形態２においてはカードＣを半数枚に分けたが、必ずしもちょうどきっちりと半数枚となるように分けなくともよい。
・実施の形態２、３ではカードＣを２分割したが、これは３分割以上であってもよい。
・実施の形態２ではローラ機構部２０６によって下段にある搬出ボックス２０９にカードＣを繰り出すようになっていた。しかし、他の繰り出し方向に繰り出すようにしてもよい。
・実施の形態３において、押圧手段としてのウェイト３１４を設けずに具体化してもよい。
・実施の形態３において、第１のカード搬送ボックス３３１又は第２のカード搬送ボックス３４１の１つのカード搬送ボックスで、カード回収装置１１０からのカードＣの収容、各エレベータ３０２，３０３へのカード群ＣＢの搬送及びカードシャッフル装置３２１から排出されるカードＣの収容を行うように具体化してもよい。
・実施の形態３において、押圧手段としてのウェイト３１４の昇降動作を切換手段としてのワンウェイクラッチ３２０を設けずに常時モータ１６の回転力により行うようにしてもよい。
・上記各実施の形態のカード配布装置７０では配布キャリア８１に保持されたカードＣは繰出ローラ９３による摩擦力で押し出されてカードテーブル１９上に排出されるような構成であったが他の機構でカードＣを配布するようにしてもよい。例えばの繰出ローラ９３の代わりにカードを吸着して保持する吸着パッドを配布キャリア８１に併設するようにしてもよい。このような構成では最上層のカードＣは吸着パッドに吸着されて配布キャリア８１からカードテーブル１９方向に運搬される。そして所定位置で吸着パッドから落下したカードＣは直接あるいは送りローラ等で更に送られてカードテーブル１９上に排出されることとなる。
【００４４】
・カードＣ以外のカード（例えばタロットカード等）を使用して具体化してもよい。
・１ゲームあたり傾斜面としてのカードテーブル１９上に配布するカードＣの枚数を適宜変更して具体化してもよい。
・カード群ＣＡ，ＣＢの群数を適宜変更して具体化してもよい。
・コントローラによるゲーム結果の判定をカードＣの反転後に行うようにしてもよい。
・上記実施の形態では、カードＣのマークＭを識別するセンサユニット１０６を配布キャリア８１に設けたが、センサユニット１０６をカードテーブル１９上の各スペースＳ１〜Ｓ６に設けて、カードＣがスペースＳ１〜Ｓ６を通過する際にマークＭの識別を行うように具体化してもよい。
・傾斜面としてのカードテーブル１９の材質を摩擦抵抗の低い合成樹脂やアルミ等の金属製で構成して具体化してもよい。
・図４３に示すように、各ガイドプレート２１の延長線上において、カードテーブル１９の下部にカードＣの縦幅よりも狭い間隔を設けて上下一対の貫通孔４０１を設ける。従って、上記各実施の形態においては、ガイドプレート２１の設置数が８枚であることから、貫通孔４０１は全部で１６孔となる。そして、各貫通孔４０１と対向するカードテーブル１９の裏面にソレノイド４０２を配設し、同ソレノイド４０２のロッド４０３が前記貫通孔４０１からカードテーブル１９の表面側に突出するようにする。すなわち、ソレノイド４０２の励磁状態では図４３（ａ）に示すように、ロッド４０３が伸長して貫通孔４０１からカードテーブル１９の表面に突出保持され、ソレノイド４０２の非励磁状態ではロッド４０３が収縮されて貫通孔４０１内に隠蔽されるようにする。
そして、カードＣの配布時にはロッド４０３を伸長させることにより、カードＣが左右方向において対向するロッド４０３間に保持され、カードテーブル１９に対して傾くことなく正常な停止状態で保持される。そして、カードＣの回収時にはロッド４０３を収縮させることにより、カード回収装置（ここでは図示せず）がロッド４０３と干渉することなくカードＣを回収することができる。なお、前記ロッド４０３をプレート状の部材に代えたり、ロッド４０３（ソレノイド４０２）の数を適宜変更して具体化してもよい。
このように構成することにより、カードＣの状態を一定状態に保持でき、カードＣの回収時にカード回収装置による回収ミスの発生等を防止することができる。
その他、本発明はその趣旨を逸脱しない範囲において変更した態様で実施することは自由である。
【００４５】
本発明の目的を達成するために上記実施の形態から把握できるその他の技術的思想について下記に付記として説明する。
（１）前記第１の搬送手段及び第２の搬送手段は、各保持台上へカードを搬送する際、常時カード群の上層側からカードを搬送することを特徴とする請求項１〜請求項４のいずれかに記載のカードゲーム機。
（２）前記第１の搬送手段又は第２の搬送手段の少なくともいずれか一方の搬送手段は、前記保持台上のカード群の中から複数枚を押し出して、他の保持台上へ搬送することを特徴とする請求項１〜請求項４若しくは付記１のいずれかに記載のカードゲーム機。
（３）前記第１の搬送手段又は第２の搬送手段の少なくともいずれか一方の搬送手段は、前記保持台上のカード群の最上面のカードをローラの回転力により他の保持台上へ搬送することを特徴とする請求項１〜請求項４若しくは付記１又は付記２のいずれかに記載のカードゲーム機。
（４）前記シャッフル手段によるシャッフルはゲームが終了してプレーヤに披露したカードがカード反転手段によって反転されてから行なわれることことを特徴とする請求項１〜請求項４若しくは付記１〜付記３のいずれかに記載のカードゲーム機。
カード反転手段とは上記実施の形態ではカード収容装置１１０が相当する。
（５）上記請求項１〜請求項４若しくは付記１〜付記４のいずれかに記載のカードゲーム機は、同じ形状の複数の前記カードを積層してなるカード群の中から、カードを１枚ずつ裏面側が露出した状態で配布する配布手段と、前記配布手段により配布されたカードが滑走する傾斜面と、前記傾斜面を滑走してきた前記カードを傾斜面の所定位置にて停止させる停止手段と、前記停止手段によって停止させられた前記カードを強制的に表面側が露出するように反転させ外部からカードの表面に記載された表示内容を視認可能にするカード反転手段とを備え、反転したカードの自他識別情報に基づいてプレーヤに所定の利益を付与するようにしたものであること。
（６）付記５のカードゲーム機において前記カード反転手段は、前記露出するカードの裏面の反対面からカードに外力を加えることで同カードを強制的に反転させてカードの表面側を露出させるようにしたこと。
【図面の簡単な説明】
【００４６】
【図１】本発明にかかる実施の形態におけるカードゲーム機の斜視図。
【図２】同じ実施の形態のカードテーブルの側断面図。
【図３】同じ実施の形態のカードテーブルの平面図。
【図４】同じ実施の形態のカード反転装置の平面図。
【図５】（ａ）同じ実施の形態の等速カムの待機状態を示すカード反転装置の側断面図。（ｂ）は等速カムが回転してアームを押し上げた状態を示すカード反転装置の側断面図。（ｃ）は（ｂ）の状態からさらに等速カムが回転してアームとの係合を解除した状態を示すカード反転装置の側断面図。
【図６】（ａ）同じ実施の形態の変速カムの待機状態を示すカード反転装置の側断面図。（ｂ）は変速カムが回転してアームを押し上げた状態を示すカード反転装置の側断面図。（ｃ）は（ｂ）の状態からさらに変速カムが回転してアームとの係合を解除した状態を示すカード反転装置の側断面図。
【図７】同じ実施の形態の配布キャリアのレバー閉状態における平面図。
【図８】同じ実施の形態の配布キャリアのレバー開状態における平面図。
【図９】同じ実施の形態の配布キャリアの積載プレートが上昇している状態の正面図。
【図１０】同じ実施の形態の配布キャリアの積載プレートが上昇している状態の正断面図。
【図１１】同じ実施の形態の配布キャリアの積載プレートの下降している状態を示す正断面図。
【図１２】同じ実施の形態の配布キャリアの側面図。
【図１３】同じ実施の形態の配布キャリアの側断面図。
【図１４】同じ実施の形態のカード収容装置の平面図。
【図１５】同じ実施の形態のカード収容装置の側断面図。
【図１６】同じ実施の形態の収容ボックスが回転した状態のカード収容装置の側断面図。
【図１７】同じ実施の形態のカードシャッフル装置の平面図。
【図１８】同じ実施の形態のカードシャッフル装置の傾動プレートが水平状態の正断面図。
【図１９】同じ実施の形態のカードシャッフル装置の傾動プレートが傾動状態の正断面図。
【図２０】同じ実施の形態の送出プレートの移動軌跡を示す側面図。
【図２１】同じ実施の形態のカードを積載した配布キャリアの正面図。
【図２２】同じ実施の形態のカードのマーク読み取り時における配布キャリアの平面図。
【図２３】同じ実施の形態の配布キャリアのカード配布時の平面図。
【図２４】同じ実施の形態の中継プレートから配布キャリアにカードを受け渡す前の側面図。
【図２５】同じ実施の形態の中継プレートから配布キャリアにカードを受け渡した状態の側面図。
【図２６】同じ実施の形態のカードを送出側積載プレートに積載した状態におけるカードシャッフル装置の側断面図。
【図２７】同じ実施の形態のカードを送出側積載プレートから受取側積載プレートに受け渡した状態におけるカードシャッフル装置の側断面図。
【図２８】同じ実施の形態の送出側積載プレートから受取側積載プレートに全カードを受け渡した状態におけるカードシャッフル装置の側断面図。
【図２９】受取側積載プレートから送出側積載プレートにカードを１枚ずつ受け渡す状態におけるカードシャッフル装置の側断面図。
【図３０】実施の形態２におけるカードシャッフル装置付近の概略説明図。
【図３１】実施の形態３におけるカードシャッフル装置付近の部分側断面図。
【図３２】（ａ）は実施の形態３における第１のエレベータ３０２の正面図。（ｂ）はモータ、ワンウェイクラッチ、駆動側プーリの関係を示す平面図。
【図３３】実施の形態３における図３１の状態からカード群を第１のエレベータへ搬送した状態を示すカードシャッフル装置付近の部分側断面図。
【図３４】実施の形態３における図３３の状態からカード群が上昇した状態を示すカードシャッフル装置付近の部分側断面図。
【図３５】実施の形態３における図３４の状態からカード群をシャッフル装置側へ搬送し、カードを排出する状態を示すカードシャッフル装置付近の部分側断面図。
【図３６】実施の形態３における図３５の状態からカード群を第２のエレベータへ搬送した状態を示すカードシャッフル装置付近の部分側断面図。
【図３７】実施の形態３における図３６の状態からカード群が上昇した状態を示すカードシャッフル装置付近の側面図。
【図３８】実施の形態３における図３７の状態からカードをシャッフルしている状態を示すカードシャッフル装置付近の側面図。
【図３９】実施の形態３における図３８の状態からシャッフルしたカード群を第１のエレベータへ搬送した状態を示すカードシャッフル装置付近の側面図。
【図４０】実施の形態３における所定回数シャッフルしたカード群を第２のエレベータへ搬送した状態を示すカードシャッフル装置付近の側面図。
【図４１】実施の形態３における図４０の状態からカード群がさらに上昇した状態を示すカードシャッフル装置付近の側面図。
【図４２】実施の形態３における図４１の状態からカード群をカード配布装置へ搬送した状態を示すカードシャッフル装置付近の側面図。
【図４３】別の実施の形態におけるカードテーブルの側断面図。
【符号の説明】
【００４７】
１３０，２０５…シャッフル手段を構成するカードシャッフル装置、１３１…第１の保持手段としての送出側積載プレート、１３９…第１の搬送手段を構成するガイドローラ、１４０…第１の搬送手段を構成する押し出しプレート、１４３…第１の搬送手段を構成するラック、１４５…第１の搬送手段を構成するモータ、１４６…第１の搬送手段を構成するピニオンギア、１５０…第２の保持手段としての受取側積層プレート、１６０…傾動ブラケット、１６１…第２の搬送手段を構成する送りモータ、１６５…第２の搬送手段を構成するローラ、１６６…第２の搬送手段を構成するベルト、２０３…第１の保持手段を構成する第１のカードボックス、２０９…第２の保持手段を構成する搬出ボックス、２１０…第３の保持手段を構成する第３のカードボックス、２０２…搬送手段を構成するエレベータ、３０３…搬送手段を構成する第２のエレベータ、３１４…押圧手段を構成するウェイト、３２０…切換手段を構成するワンウェイクラッチ、３４１…第２の保持手段を構成する第２のカード搬送ケース、３５１…第１のカードシャッフルプレート、３５５…取り出し手段を構成する供給ローラ、３５９…取り出し手段を構成するプラテンローラ、３５７…取り出し手段を構成するモータ、３６１…取り出し手段を構成するモータ、３６３…取り出し手段を構成する排出カード検出センサ、３５２…第２のカードシャッフルプレート、３５６…積層手段を構成する供給ローラ、３６０…積層手段を構成するプラテンローラ、３５８…積層手段を構成するモータ３５８，３６２…積層手段を構成するモータ、３６４…積層手段を構成する排出カード検出センサ、３７１…第１の保持手段を構成する第１のカード供給ボックス、３７２…第３の保持手段を構成する第２のカード供給ボックス、Ｃ…カード、ＣＢ…カード群。
【図１】
2005103243.tif 000003
【図２】
2005103243.tif 000004
【図３】
2005103243.tif 000005
【図４】
2005103243.tif 000006
【図５】
2005103243.tif 000007
【図６】
2005103243.tif 000008
【図７】
2005103243.tif 000009
【図８】
2005103243.tif 000010
【図９】
2005103243.tif 000011
【図１０】
2005103243.tif 000012
【図１１】
2005103243.tif 000013
【図１２】
2005103243.tif 000014
【図１３】
2005103243.tif 000015
【図１４】
2005103243.tif 000016
【図１５】
2005103243.tif 000017
【図１６】
2005103243.tif 000018
【図１７】
2005103243.tif 000019
【図１８】
2005103243.tif 000020
【図１９】
2005103243.tif 000021
【図２０】
2005103243.tif 000022
【図２１】
2005103243.tif 000023
【図２２】
2005103243.tif 000024
【図２３】
2005103243.tif 000025
【図２４】
2005103243.tif 000026
【図２５】
2005103243.tif 000027
【図２６】
2005103243.tif 000028
【図２７】
2005103243.tif 000029
【図２８】
2005103243.tif 000030
【図２９】
2005103243.tif 000031
【図３０】
2005103243.tif 000032
【図３１】
2005103243.tif 000033
【図３２】
2005103243.tif 000034
【図３３】
2005103243.tif 000035
【図３４】
2005103243.tif 000036
【図３５】
2005103243.tif 000037
【図３６】
2005103243.tif 000038
【図３７】
2005103243.tif 000039
【図３８】
2005103243.tif 000040
【図３９】
2005103243.tif 000041
【図４０】
2005103243.tif 000042
【図４１】
2005103243.tif 000043
【図４２】
2005103243.tif 000044
【図４３】
2005103243.tif 000045